(57)【特許請求の範囲】
【請求項１】
端末デバイスであって、
番号iの第1のターゲットサブフレームの少なくとも1つのアップリンクチャネルを判断するように構成された判断モジュールであって、iが0から9の範囲のサブフレーム番号であり、前記判断モジュールが、番号xの第2のターゲットサブフレームのアップリンクチャネル情報に従って、番号xの前記第2のターゲットサブフレームが位置する基地局またはセルグループに対して予約される予約電力を判断するようにさらに構成され、
ここで、前記予約電力は、番号xの前記第2のターゲットサブフレームのアップリンクチャネルが物理的ダウンリンク制御チャネル（PDCCH）オーダによって指示される物理的ランダムアクセスチャネル（PRACH）を含む場合に判断され、番号xの前記第2のターゲットサブフレームの伝達時間と前記第1のターゲットサブフレームの伝達時間とがオーバーラップし、前記第2のターゲットサブフレームの開始時間が、前記第1のターゲットサブフレームの開始時間よりも遅く、前記第2のターゲットサブフレームが、前記第1のターゲットサブフレームのものとは異なる基地局またはセルグループに属するサブフレームであり、xが0から9の範囲のサブフレーム番号であり、または
前記予約電力は、番号xの前記第2のターゲットサブフレームのアップリンクチャネルが番号x−nのサブフレームの物理的ダウンリンクチャネルを使用することによって判断されるPRACHを含む場合に判断され、nは5以上の整数である、判断モジュールと、
前記予約電力に従って、番号iの前記第1のターゲットサブフレームの前記少なくとも1つのアップリンクチャネルにおける各アップリンクチャネルの送信電力を判断するように構成された計算モジュールであって、番号iの前記第1のターゲットサブフレームのすべてのアップリンクチャネルの送信電力と前記予約電力との合計が、前記端末デバイスの最大送信電力以下である、計算モジュールと
を備える端末デバイス。
【請求項２】
前記計算モジュールは、番号iの前記第1のターゲットサブフレームの前記少なくとも1つのアップリンクチャネルにおけるすべての前記アップリンクチャネルの前記送信電力と前記予約電力との前記合計が前記端末デバイスの前記最大送信電力よりも大きい場合、番号iの前記第1のターゲットサブフレームの前記少なくとも1つのアップリンクチャネルの少なくとも1つの送信電力を圧縮するようにさらに構成される、請求項1に記載の端末デバイス。
【請求項３】
送信モジュールをさらに備え、
前記送信モジュールは、前記送信電力に従って、番号iの前記第1のターゲットサブフレームの前記少なくとも1つのアップリンクチャネルで信号を送信するように構成される、請求項1または2に記載の端末デバイス。
【請求項４】
受信モジュールと、検出モジュールとをさらに備え、
前記受信モジュールは、前記PDCCHオーダを受信し、番号x−nの前記サブフレームの前記物理的ダウンリンクチャネルを受信し、前記PDCCHを受信し、前記PDCCHオーダ、番号x−nの前記サブフレームの前記物理的ダウンリンクチャネル、および前記PDCCHを前記検出モジュールに提供するように構成され、
前記検出モジュールは、前記PDCCHオーダを検出し、番号x−nの前記サブフレームの前記物理的ダウンリンクチャネルを検出し、前記PDCCHを検出し、検出結果を前記判断モジュールに提供するように構成され、
前記判断モジュールは、前記検出結果に従って、番号xの前記第2のターゲットサブフレームの、前記PDCCHオーダで搬送される、前記アップリンクチャネル情報が前記物理的ランダムアクセスチャネル（PRACH）を含むと判断するか、または前記検出結果に従って、番号xの前記第2のターゲットサブフレームの、番号x−nの前記サブフレームの前記物理的ダウンリンクチャネルで搬送される、前記アップリンクチャネル情報が、前記PRACHを含むと判断するか、または前記検出結果に従って、番号xの前記第2のターゲットサブフレームの、前記PDCCHで搬送される、前記アップリンクチャネル情報が、サウンディング基準信号（SRS）チャネルのみを含むか、もしくは何らのチャネルも含まないと判断するようにさらに構成される、請求項1から3のいずれか一項に記載の端末デバイス。
【請求項５】
前記判断モジュールは、番号xの前記第2のターゲットサブフレームの前記アップリンクチャネルが前記PRACHを含む場合、PRACH事前定義送信電力および保証電力に従って前記予約電力を判断するようにさらに構成され、前記PRACH事前定義送信電力は、前記PRACHに対して事前定義された送信電力であり、前記保証電力は、上位レイヤシグナリングを使用することによって、番号xの前記第2のターゲットサブフレームが位置する前記基地局または前記セルグループに対して構成される保証電力である、請求項1から4のいずれか一項に記載の端末デバイス。
【請求項６】
判定モジュールをさらに備え、
前記判定モジュールは、番号xの前記第2のターゲットサブフレームの前記アップリンクチャネルが前記PRACHを含む場合、前記PRACHの優先度および番号iの前記第1のターゲットサブフレームのすべての前記アップリンクチャネルの優先度を判断するように構成され、
前記判断モジュールは、前記PRACHの前記優先度が番号iの前記第1のターゲットサブフレームのすべての前記アップリンクチャネルの前記優先度よりも高い場合、PRACH事前定義送信電力および保証電力に従って前記予約電力を判断するようにさらに構成される、請求項1から4のいずれか一項に記載の端末デバイス。
【請求項７】
前記判断モジュールは、前記予約電力の値がmax｛前記保証電力，前記PRACH事前定義送信電力｝以上であると判断するようにさらに構成され、ここで、maxは、最大値をとることを意味する、請求項5または6に記載の端末デバイス。
【請求項８】
前記PRACH事前定義送信電力は、
min｛PCMAX，c（j），PREAMBLE＿RECEIVED＿TARGET＿POWER＋PLc｝であり、
ここで、PCMAX，c（j）は、番号xの前記第2のターゲットサブフレームの前記PRACHが位置するセルcの番号jのサブフレームの最大送信電力であり、前記PREAMBLE＿RECEIVED＿TARGET＿POWERは、上位レイヤによって構成される電力パラメータであり、PLcは、前記端末デバイスの経路損失の測定値であり、j＝x−1であり、番号jの前記サブフレームは、番号xの前記サブフレームの前のサブフレームであり、x−1が0から9の範囲外である場合、番号jの前記サブフレームの前記番号は、（x−1）mod10であり、modは、モジュロ演算子であり、または
前記PRACH事前定義送信電力は、
PREAMBLE＿RECEIVED＿TARGET＿POWER＋PLcである、請求項5から7のいずれか一項に記載の端末デバイス。
【請求項９】
前記判断モジュールは、番号xの前記第2のターゲットサブフレームの前記アップリンクチャネルの、サウンディング基準信号（SRS）チャネルを除く、別のチャネルを示すために使用されるPDCCHが無く、番号xの前記第2のターゲットサブフレームが、何らのアップリンクチャネルも有さないか、または前記SRSチャネルのみを有し、かつ番号iの前記第1のターゲットサブフレームの前記アップリンクチャネルが少なくとも1つの非SRSチャネルを含む場合、前記予約電力が0であると判断するようにさらに構成される、請求項1から4のいずれか一項に記載の端末デバイス。
【請求項１０】
電力割当方法であって、
端末デバイスにより、番号iの第1のターゲットサブフレームの少なくとも1つのアップリンクチャネルを判断するステップであって、iが0から9の範囲のサブフレーム番号である、ステップと、
前記端末デバイスにより、番号xの第2のターゲットサブフレームのアップリンクチャネル情報に従って、番号xの前記第2のターゲットサブフレームが位置する基地局またはセルグループに対して予約される予約電力を判断するステップであって、
ここで、前記予約電力は、番号xの前記第2のターゲットサブフレームのアップリンクチャネルが物理的ダウンリンク制御チャネル（PDCCH）オーダによって示される物理的ランダムアクセスチャネル（PRACH）を含む場合に判断され、番号xの前記第2のターゲットサブフレームの伝達時間と前記第1のターゲットサブフレームの伝達時間とがオーバーラップし、前記第2のターゲットサブフレームの開始時間が、前記第1のターゲットサブフレームの開始時間よりも遅く、前記第2のターゲットサブフレームが、前記第1のターゲットサブフレームのものとは異なる基地局またはセルグループに属するサブフレームであり、xが0から9の範囲のサブフレーム番号であり、または
前記予約電力は、番号xの前記第2のターゲットサブフレームのアップリンクチャネルが番号x−nのサブフレームの物理的ダウンリンクチャネルを使用することによって判断されるPRACHを含む場合に判断され、nは5以上の整数である、ステップと、
前記端末デバイスにより、前記予約電力に従って、番号iの前記第1のターゲットサブフレームの前記少なくとも1つのアップリンクチャネルにおける各アップリンクチャネルの送信電力を判断するステップであって、番号iの前記第1のターゲットサブフレームのすべてのアップリンクチャネルの送信電力と前記予約電力との合計が、前記端末デバイスの最大送信電力以下である、ステップと
を含む電力割当方法。
【請求項１１】
前記端末デバイスにより、前記予約電力に従って、番号iの前記第1のターゲットサブフレームの前記少なくとも1つのアップリンクチャネルにおける各アップリンクチャネルの送信電力を判断する前記ステップは、
番号iの前記第1のターゲットサブフレームの前記少なくとも1つのアップリンクチャネルにおけるすべての前記アップリンクチャネルの前記送信電力と前記予約電力との前記合計が前記端末デバイスの前記最大送信電力よりも大きい場合、前記端末デバイスにより、番号iの前記第1のターゲットサブフレームの前記少なくとも1つのアップリンクチャネルの少なくとも1つの送信電力を圧縮するステップであって、その結果、番号iの前記第1のターゲットサブフレームの前記少なくとも1つのアップリンクチャネルにおけるすべての前記アップリンクチャネルの前記送信電力と前記予約電力との前記合計が、前記端末デバイスの前記最大送信電力以下となる、ステップを含む、請求項10に記載の電力割当方法。
【請求項１２】
前記端末デバイスにより、前記送信電力に従って、番号iの前記第1のターゲットサブフレームの前記少なくとも1つのアップリンクチャネルで信号を送信するステップをさらに含む、請求項10または11に記載の電力割当方法。
【請求項１３】
前記端末デバイスにより、前記PDCCHオーダを検出することによって、番号xの前記第2のターゲットサブフレームの前記アップリンクチャネル情報が前記物理的ランダムアクセスチャネル（PRACH）を含むと判断するステップ、または、
前記端末デバイスにより、番号x−nの前記サブフレームの前記物理的ダウンリンクチャネルを検出することによって、番号xの前記第2のターゲットサブフレームの前記アップリンクチャネル情報が前記PRACHを含むと判断するステップ、または、
前記端末デバイスにより、前記PDCCHを検出することによって、番号xの前記第2のターゲットサブフレームの前記アップリンクチャネル情報が、サウンディング基準信号（SRS）チャネルのみを含むか、もしくは何らのチャネルも含まないと判断するステップ
をさらに含む、請求項10から12のいずれか一項に記載の電力割当方法。
【請求項１４】
前記端末デバイスにより、番号xの第2のターゲットサブフレームのアップリンクチャネル情報に従って、番号xの前記第2のターゲットサブフレームが位置する基地局またはセルグループに対して予約される予約電力を判断する前記ステップは、
番号xの前記第2のターゲットサブフレームの前記アップリンクチャネルが前記PRACHを含む場合、前記端末デバイスにより、PRACH事前定義送信電力および保証電力に従って前記予約電力を判断するステップであって、前記保証電力が、上位レイヤシグナリングを使用することによって、番号xの前記第2のターゲットサブフレームが位置する前記基地局または前記セルグループに対して構成される保証電力である、ステップを含む、請求項10から13のいずれか一項に記載の電力割当方法。
【請求項１５】
前記端末デバイスにより、PRACH事前定義送信電力および保証電力に従って前記予約電力を判断する前記ステップが、
前記端末デバイスにより、前記予約電力の値が、max｛前記予約電力，前記PRACH事前定義送信電力｝以上であると判断するステップであって、ここで、maxは、最大値をとることを意味する、ステップを含む、請求項14に記載の方法。
【請求項１６】
請求項10から15のいずれか一項に記載の方法のステップをコンピュータに実行させるプログラム。
【請求項１７】
端末デバイスであって、
プログラム命令を含む情報を格納するように構成されたメモリと、
前記メモリに接続されて、前記プログラム命令の実行を制御するように構成されたプロセッサと
を備え、
前記プロセッサは、
番号iの第1のターゲットサブフレームの少なくとも1つのアップリンクチャネルを判断することであって、iが0から9の範囲のサブフレーム番号である、ことと、
番号xの第2のターゲットサブフレームのアップリンクチャネル情報に従って、番号xの前記第2のターゲットサブフレームが位置する基地局またはセルグループに対して予約される予約電力を判断することであって、
ここで、前記予約電力は、番号xの前記第2のターゲットサブフレームのアップリンクチャネルが物理的ダウンリンク制御チャネル（PDCCH）オーダによって指示される物理的ランダムアクセスチャネル（PRACH）を含む場合に判断され、番号xの前記第2のターゲットサブフレームの伝達時間と前記第1のターゲットサブフレームの伝達時間とがオーバーラップし、前記第2のターゲットサブフレームの開始時間が、前記第1のターゲットサブフレームの開始時間よりも遅く、前記第2のターゲットサブフレームが、前記第1のターゲットサブフレームのものとは異なる基地局またはセルグループに属するサブフレームであり、xが0から9の範囲のサブフレーム番号であり、または
前記予約電力は、番号xの前記第2のターゲットサブフレームのアップリンクチャネルが番号x−nのサブフレームの物理的ダウンリンクチャネルを使用することによって判断されるPRACHを含む場合に判断され、nは5以上の整数である、ことと、
前記予約電力に従って、番号iの前記第1のターゲットサブフレームの前記少なくとも1つのアップリンクチャネルにおける各アップリンクチャネルの送信電力を判断することであって、番号iの前記第1のターゲットサブフレームのすべてのアップリンクチャネルの送信電力と前記予約電力との合計が、前記端末デバイスの最大送信電力以下である、ことと
を実行するように構成される、端末デバイス。
【発明の詳細な説明】
【技術分野】
【０００１】
本発明は、通信技術の分野に関し、特に、ユーザ機器および電力割当方法に関する。
【背景技術】
【０００２】
より高い伝送帯域幅を提供するために、従来技術では、CA（Carrier Aggregation、キャリアアグリゲーション）技術が提案されている。CA技術は、少なくとも2つのキャリアのスペクトルを集約する技術である。CA技術では、コンポーネントキャリアのスペクトルは、隣接連続スペクトルであってもよく、または同じ帯域内の非連続スペクトルであってもよく、または異なる帯域内の不連続スペクトルであってもよい。CA技術を用いることにより、LTE-A（Long Term Evolution-Advanced、ロングタームエボリューションアドバンスト）システムにおけるUE（User Equipment、ユーザ機器）は、その能力およびサービス要件に従って複数のコンポーネントキャリアを同時に使用して、データを送信または受信することができる。
【０００３】
複数の基地局のキャリアを使用してアグリゲーションを行う技術（例えば、1つのUEを2つの基地局に接続することができる）では、2つの基地局のダウンリンクチャネルの伝達時間（略して、ダウンリンク伝達時間）が同期しない場合、図1に示すように、セルセル1およびセル2のダウンリンク伝達時間は同期せず、したがって、セル1およびセル2のアップリンク伝達時間も同期せず、セル1のアップリンクチャネルに対応するサブフレームi（番号iのサブフレーム）は、セル2のアップリンクチャネルに対応しているサブフレームj（番号jのサブフレーム）およびサブフレームj＋1（番号j＋1のサブフレーム）とオーバーラップし、ここで、セル1とセル2とは、異なる基地局に属する。サブフレームjの伝達開始モーメントは、サブフレームiの伝達開始モーメントよりも早く、サブフレームj＋1の伝達開始モーメントは、サブフレームiの伝達開始モーメントよりも遅く、ここで、i、j、j＋1は、サブフレーム番号である。i、j、またはj＋1が0から9の範囲外の場合、サブフレーム番号は、imod10、jmod10、または（j＋1）mod10である。UEがサブフレーム（サブフレームiとする）のチャネル電力を決定する場合、別の基地局がカバーするセルの2つのサブフレーム（サブフレームjおよびサブフレームj＋1とする）のアップリンクチャネルの電力割当を考慮する必要があり、ここで、2つのサブフレームが、サブフレームiとオーバーラップする。すなわち、任意の時間セグメントにおける複数のチャネルの送信電力の合計が、その時間セグメントにおけるUEの最大送信電力を超えることができないことが保証される。ダウンリンクサブフレームi−4が終了する前に、UEは、サブフレームiおよびサブフレームjのアップリンクチャネル情報を学習したが、サブフレームj＋1のアップリンクチャネル情報はまだ学習できない。一般に、サブフレームi＋nは、サブフレームiに続くn番目のサブフレームを表し、ここで、nは正の整数であり、サブフレームi−nは、サブフレームiの前のn番目のサブフレームを表し、nは正の整数である。UEが、サブフレームiのアップリンクリンクチャネルの送信電力を決定するための処理時間の短縮をサポートしていない（すなわち、サブフレームj＋1のアップリンクチャネルを学習するための待ち時間を差し引くことができない）場合、サブフレームj＋1のアップリンクチャネルの欠如が、半静的に構成された情報に従って学習されない限り、すなわち、アップリンクチャネルの送信が可能とならない限り、UEは、サブフレームj＋1が存在する基地局またはセルグループに対する保証電力を受け取り、サブフレームiに割り当てられるアップリンクチャネルの送信電力を決定する。保証電力は準静的電力値であり、準静的電力値は、RRC（Radio Resource Control、無線リソース制御プロトコル）シグナリングなどの上位レイヤシグナリングを使用して構成された電力である。一般に、1つの保証電力が、各基地局またはセルグループに対して利用可能である。
【０００４】
従来技術では、保証電力は、サブフレームj＋1のアップリンクチャネルの実際の送信電力割当を考慮せずに、サブフレームj＋1が位置する基地局またはセルグループに対して事前設定されており、その場合、対応するアップリンクチャネルの、サブフレームiに割り当てられる、送信電力は、保証電力に従って決定される。しかしながら、保証電力が、アップリンクチャネルの、サブフレームj＋1によって実際に要求される、送信電力よりも小さい場合、UEが存在するセルの基地局におけるUEのアップリンクチャネルの受信性能が影響を受け、ここで、アップリンクチャネルは、サブフレームj＋1が位置するアップリンクチャネルである。保証電力が、アップリンクチャネルの、サブフレームj＋1によって実際に要求される、送信電力よりも大きく、その結果、アップリンクチャネルの、サブフレームiに割り当てられた、送信電力が、サブフレームiのアップリンクチャネルの実際の送信電力よりも小さくなり、UEが位置するセルの基地局におけるUEのアップリンクチャネルの受信性能が影響を受け、ここで、アップリンクチャネルは、サブフレームiが位置するアップリンクチャネルである。すなわち、アップリンクリンクチャネルの予約送信電力（保証電力）が不適切である場合に、UEが位置するセルの基地局におけるUEのアップリンクリンクチャネルの受信性能が影響を受ける。
【発明の概要】
【０００５】
本発明の実施形態は、アップリンクチャネルの送信電力を適切に割り当てる方法に関する問題を解決するために、ユーザ機器および電力割当方法を提供する。
【課題を解決するための手段】
【０００６】
第1の態様によれば、本発明の一実施形態は、以下を含むユーザ機器（UE）を提供し、すなわち、
番号iの第1のターゲットサブフレームの少なくとも1つのアップリンクチャネルを判断するように構成された判断モジュールであって、iが0から9のサブフレーム番号であり、
判断モジュールが、番号xの第2のターゲットサブフレームのアップリンクチャネル情報に従って、番号xの第2のターゲットサブフレームが位置する基地局またはセルグループに対して予約される予約電力を判断するようにさらに構成され、ここで、予約電力は、番号xの第2のターゲットサブフレームのアップリンクチャネルが物理的ダウンリンク制御チャネルオーダ（PDCCH order）によって指示される物理的ランダムアクセスチャネル（PRACH）を含む場合に判断され、番号xの第2のターゲットサブフレームの伝達時間と第1のターゲットサブフレームの伝達時間とがオーバーラップし、第2のターゲットサブフレームの開始時間が、第1のターゲットサブフレームの開始時間よりも遅く、第2のターゲットサブフレームが、第1のターゲットサブフレームのものとは異なる基地局またはセルグループに属するサブフレームであり、xは、0から9のサブフレーム番号であり、または予約電力は、番号xの第2のターゲットサブフレームのアップリンクチャネルが、番号x−nのサブフレームの物理的ダウンリンクチャネルを使用することによって判断されるPRACHを含む場合に判断され、ここで、nは、5以上の整数であり、または予約電力は、番号xの第2のターゲットサブフレームのアップリンクチャネルの、サウンディング基準信号（SRS）チャネルを除く、別のチャネルを示すために使用されるPDCCHが無い場合に判断され、番号xの第2のターゲットサブフレームは、アップリンクチャネルを有さないか、もしくはSRSチャネルのみを有する、判断モジュールと、
予約電力に従って、番号iの第1のターゲットサブフレームの少なくとも1つのアップリンクチャネルにおける各アップリンクチャネルの送信電力を判断するように構成された計算モジュールであって、番号iの第1のターゲットサブフレームのすべてのアップリンクチャネルの送信電力と予約電力との合計が、UEの最大送信電力以下である、計算モジュールとを含む。
【０００７】
第1の態様を参照すると、第1の可能な実施形態において、
計算モジュールは、番号iの第1のターゲットサブフレームの少なくとも1つのアップリンクチャネルにおけるすべてのアップリンクチャネルの送信電力と予約電力との合計が、UEの最大送信電力よりも大きい場合、番号iの第1のターゲットサブフレームの少なくとも1つのアップリンクチャネルの少なくとも1つの送信電力を圧縮するようにさらに構成される。
【０００８】
第1の態様または第1の態様の第1の可能な実施形態を参照すると、第2の可能な実施形態において、ユーザ機器（UE）は、送信モジュールをさらに含み、
送信モジュールは、送信電力に従って、番号iの第1のターゲットサブフレームの少なくとも1つのアップリンクチャネルで信号を送信するように構成される。
【０００９】
第1の態様、または第1の態様の上記可能な実施形態のいずれかを参照すると、第3の可能な実施形態において、ユーザ機器（UE）は、受信モジュールと検出モジュールとをさらに含み、
受信モジュールは、PDCCH orderを受信し、番号x−nのサブフレームの物理的ダウンリンクチャネルを受信し、PDCCHを受信し、PDCCH order、番号x−nのサブフレームの物理的ダウンリンクチャネル、およびPDCCHを検出モジュールに提供するように構成され、
検出モジュールは、PDCCH orderを検出し、番号x−nのサブフレームの物理的ダウンリンクチャネルを検出し、PDCCHを検出し、検出結果を判断モジュールに提供するように構成され、
判断モジュールは、検出結果に従って、番号xの第2のターゲットサブフレームの、PDCCH orderで搬送される、アップリンクチャネル情報が物理的ランダムアクセスチャネル（PRACH）を含むと判断するか、または検出結果に従って、番号xの第2のターゲットサブフレームの、番号x−nのサブフレームの物理的ダウンリンクチャネルで搬送される、アップリンクチャネル情報が、PRACHを含むと判断するか、または検出結果に従って、番号xの第2のターゲットサブフレームの、PDCCHで搬送される、アップリンクチャネル情報が、サウンディング基準信号（SRS）チャネルのみを含むか、もしくは何のチャネルも含まないと判断するようにさらに構成される。
【００１０】
第1の態様、または第1の態様の上記可能な実施形態のいずれか1つを参照すると、第4の可能な実施形態において、
判断モジュールは、番号xの第2のターゲットサブフレームのアップリンクチャネルがPRACHを含む場合にPRACH事前定義送信電力および保証電力に従って予約電力を判断するように特に構成され、ここで、PRACH事前定義送信電力は、PRACHに対して事前定義された送信電力であり、保証電力は、上位レイヤシグナリングを使用することによって、番号xの第2のターゲットサブフレームが位置する基地局またはセルグループに対して構成される保証電力である。
【００１１】
第1の態様、または第1の態様の第1から第3の可能な実施形態のいずれか1つを参照すると、第5の可能な実施形態において、ユーザ機器（UE）は、判定モジュールをさらに含み、
判定モジュールは、番号xの第2のターゲットサブフレームのアップリンクチャネルがPRACHを含む場合、PRACHの優先度と、番号iの第1のターゲットサブフレームのすべてのアップリンクチャネルの優先度とを判断するように構成され、
判断モジュールは、PRACHの優先度が番号iの第1のターゲットサブフレームのすべてのアップリンクチャネルの優先度よりも高い場合に、PRACH事前定義送信電力および保証電力に従って、予約電力を判断するようにさらに構成される。
【００１２】
第1の態様の第4または第5の可能な実施形態を参照すると、第6の可能な実施形態において、
判断モジュールは、予約電力の値がmax｛保証電力，PRACH事前定義送信電力｝以上であると判断するように特に構成され、ここで、maxは、最大値をとることを意味する。
【００１３】
第1の態様の第4から第6の可能な実施形態のいずれか1つを参照すると、第7の可能な実施形態において、
PRACH事前定義送信電力は、
min｛PCMAX，c（j），PREAMBLE＿RECEIVED＿TARGET＿POWER＋PLc｝であり、
ここで、PCMAX，c（j）は、番号xの第2のターゲットサブフレームのPRACHが位置するセルcの番号jのサブフレームの最大送信電力であり、プリアンブル受信ターゲット電力（PREAMBLE＿RECEIVED＿TARGET＿POWER）は、上位レイヤによって構成される電力パラメータであり、PLcはUEの経路損失の測定値であり、j＝x−1であり、番号jのサブフレームは、番号xのサブフレームの前のサブフレームであり、x−1が、0から9の範囲外である場合、番号jのサブフレームの番号は、（x−1）mod10であり、ここで、modは、モジュロ演算子であり、または
PRACH事前定義送信電力は、PREAMBLE＿RECEIVED＿TARGET＿POWER＋PLcである。
【００１４】
第1の態様、または第1の態様の第1から第3の可能な実施形態のいずれか1つを参照すると、第8の可能な実施形態において、
判断モジュールは、番号xの第2のターゲットサブフレームのアップリンクチャネルの、SRSチャネルを除く、別のチャネルを示すよう使用されるPDCCHが無く、番号xの第2のターゲットサブフレームが、何らのアップリンクチャネルも有さないか、またはSRSチャネルのみを有し、かつ番号iの第1のターゲットサブフレームのアップリンクチャネルが、少なくとも1つの非SRSチャネルを含む場合、予約電力が0であると判断するようにさらに構成される。
【００１５】
第2の態様によると、本発明の一実施形態は、以下を含む、ユーザ機器（UE）を提供し、すなわち、
番号iの第1のターゲットサブフレームの少なくとも1つのアップリンクチャネルを判断するように構成された判断モジュールであって、iが0から9のサブフレーム番号である、判断モジュールを含み、
判断モジュールが、番号iの第1のターゲットサブフレームのアップリンクチャネル情報が最高電力割当優先度を有する物理的ランダムアクセスチャネル（PRACH）を含む場合、番号iの第1のターゲットサブフレームのアップリンクチャネル情報に従って、番号xの第2のターゲットサブフレームが位置する基地局またはセルグループに対して予約される予約電力を判断するようにさらに構成され、ここで、番号xの第2のターゲットサブフレームの伝達時間と第1のターゲットサブフレームの伝達時間とがオーバーラップし、第2のターゲットサブフレームの開始時間が第1のターゲットサブフレームの開始時間よりも遅く、第2のターゲットサブフレームが第1のターゲットサブフレームのものとは異なる基地局またはセルグループに属するサブフレームであり、xが0から9のサブフレーム番号であり、またはxが0から9の範囲外である場合、xはサブフレーム番号（x）mod10であり、ここで、modは、モジュロ演算子であり、
計算モジュールが、予約電力に従って、番号iの第1のターゲットサブフレームの少なくとも1つのアップリンクチャネルにおける各アップリンクチャネルの送信電力を判断するようにさらに構成され、番号iの第1のターゲットサブフレームのすべてのアップリンクチャネルの送信電力と予約電力との合計が、ユーザ機器（UE）の最大送信電力以下である。
【００１６】
第2の態様を参照すると、第1の可能な実施形態において、
計算モジュールは、番号iの第1のターゲットサブフレームの少なくとも1つのアップリンクチャネルにおけるすべてのアップリンクチャネルの送信電力と予約電力との合計が、UEの最大送信電力よりも大きい場合、番号iの第1のターゲットサブフレームの少なくとも1つのアップリンクチャネルの少なくとも1つの送信電力を圧縮するようにさらに構成される。
【００１７】
第2の態様または第2の態様の第1の可能な実施形態を参照すると、第2の可能な実施形態において、ユーザ機器（UE）は、送信モジュールをさらに含み、
送信モジュールは、送信電力に従って、番号iの第1のターゲットサブフレームの少なくとも1つのアップリンクチャネルで信号を送信するように構成される。
【００１８】
第2の態様または第2の態様の上記可能な実施形態のいずれかを参照すると、第3の可能な実施形態において、
判断モジュールは、PRACH送信電力および保証電力に従って予約電力を判断するように特に構成され、PRACH送信電力は、番号iの第1のターゲットサブフレームのPRACHの送信電力であり、保証電力は、上位レイヤシグナリングを使用することによって、番号xの第2のターゲットサブフレームが位置する基地局またはセルグループに対して構成される保証電力であり、予約電力は、保証電力以下であり、UEの最大送信電力とPRACH送信電力との差以下である。
【００１９】
第2の態様の第3の可能な実施形態を参照すると、第4の可能な実施形態において、
PRACH送信電力は、
min｛PCMAX，c（i），PREAMBLE＿RECEIVED＿TARGET＿POWER＋PLc｝であり、
ここで、PCMAX，c（i）は、番号iの第1のターゲットサブフレームのPRACHが位置するセルcのサブフレームiの最大送信電力であり、PREAMBLE＿RECEIVED＿TARGET＿POWERは、上位レイヤによって構成される電力パラメータであり、PLcは、UEの経路損失の測定値である。
【００２０】
第3の態様によれば、本発明の一実施形態は、以下を含むユーザ機器（UE）を提供し、すなわち、
プログラム命令を含む情報を格納するように構成されたメモリを含み、
プロセッサが、メモリに結合されて、プログラム命令の実行を制御するように構成され、番号iの第1のターゲットサブフレームの少なくとも1つのアップリンクチャネルを判断するように特に構成され、ここで、iは、0から9のサブフレーム番号であり、プロセッサがさらに、番号xの第2のターゲットサブフレームのアップリンクチャネル情報に従って、番号xの第2のターゲットサブフレームが位置する基地局またはセルグループに対して予約される予約電力を判断するように特に構成され、ここで、予約電力は、番号xの第2のターゲットサブフレームのアップリンクチャネルが物理的ダウンリンク制御チャネルオーダ（PDCCH order）によって示される物理的ランダムアクセスチャネル（PRACH）を含む場合に判断され、番号xの第2のターゲットサブフレームの伝達時間と第1のターゲットサブフレームの伝達時間とがオーバーラップし、第2のターゲットサブフレームの開始時間が第1のターゲットサブフレームの開始時間よりも遅く、第2のターゲットサブフレームが第1のターゲットサブフレームのものとは異なる基地局またはセルグループに属するサブフレームであり、xが0から9のサブフレーム番号であり、または予約電力は、番号xの第2のターゲットサブフレームのアップリンクチャネルが番号x−nのサブフレームの物理的ダウンリンクチャネルを使用することによって判断されるPRACHを含み、nは5以上の整数であり、または予約電力は、番号xの第2のターゲットサブフレームのアップリンクチャネルの、サウンディング基準信号（SRS）チャネルを除く、別のチャネルを示すために使用されるPDCCHが無い場合に判断され、番号xの第2のターゲットサブフレームは、何らのアップリンクチャネルも有さないか、もしくはSRSチャネルのみを有し、プロセッサがさらに、予約電力に従って、番号iの第1のターゲットサブフレームの少なくとも1つのアップリンクチャネルにおける各アップリンクチャネルの送信電力を判断するように特に構成され、番号iの第1のターゲットサブフレームのすべてのアップリンクチャネルの送信電力と予約電力との合計が、UEの最大送信電力以下である。
【００２１】
第3の態様を参照すると、第1の可能な実施形態において、
プロセッサは、番号iの第1のターゲットサブフレームの少なくとも1つのアップリンクチャネルにおけるすべてのアップリンクチャネルの送信電力と予約電力との合計が、UEの最大送信電力よりも大きい場合、番号iの第1のターゲットサブフレームの少なくとも1つのアップリンクチャネルの少なくとも1つの送信電力を圧縮するようにさらに構成される。
【００２２】
第3の態様または第3の態様の第1の可能な実施形態を参照すると、第2の可能な実施形態において、ユーザ機器（UE）は、トランシーバをさらに含み、
トランシーバは、送信電力に従って、番号iの第1のターゲットサブフレームの少なくとも1つのアップリンクチャネルで信号を送信するように構成される。
【００２３】
第3の態様、または第3の態様の上記可能な実施形態のいずれかを参照すると、第3の可能な実施形態において、
トランシーバは、PDCCH orderを受信し、番号x−nのサブフレームの物理的ダウンリンクチャネルを受信し、PDCCHを受信し、PDCCH order、番号x−nのサブフレームの物理的ダウンリンクチャネル、およびPDCCHをプロセッサに提供するようにさらに構成され、
プロセッサは、PDCCH orderを検出することによって、番号xの第2のターゲットサブフレームのアップリンクチャネル情報が物理的ランダムアクセスチャネル（PRACH）を含むと判断するか、または番号x−nのサブフレームの物理的ダウンリンクチャネルを検出することによって、番号xの第2のターゲットサブフレームのアップリンクチャネル情報がPRACHを含むと判断するか、またはPDCCHを検出することによって、番号xの第2のターゲットサブフレームのアップリンクチャネル情報が、サウンディング基準信号（SRS）チャネルのみを含む、もしくは何らのチャネルも含まないと判断する、ようにさらに構成される。
【００２４】
第3の態様、または第3の態様の上記可能な実施形態のいずれか1つを参照すると、第4の可能な実施形態において、
プロセッサは、番号xの第2のターゲットサブフレームのアップリンクチャネルがPRACHを含む場合にPRACH事前定義送信電力および保証電力に従って予約電力を判断するようにさらに構成され、ここで、PRACH事前定義送信電力は、PRACHに対して事前定義された送信電力であり、保証電力は、上位レイヤシグナリングを使用することによって、番号xの第2のターゲットサブフレームが位置する基地局またはセルグループに対して構成される保証電力である。
【００２５】
第3の態様、または第3の態様の第1から第3の可能な実施形態のいずれか1つを参照すると、第5の可能な実施形態において、
プロセッサは、番号xの第2のターゲットサブフレームのアップリンクチャネルがPRACHを含む場合、PRACHの優先度と、番号iの第1のターゲットサブフレームのすべてのアップリンクチャネルの優先度とを判断し、PRACHの優先度が番号iの第1のターゲットサブフレームのすべてのアップリンクチャネルの優先度よりも高い場合、PRACH事前定義送信電力および保証電力に従って予約電力を判断するようにさらに構成される。
【００２６】
第3の態様の第4または第5の可能な実施形態を参照すると、第6の可能な実施形態において、
プロセッサは、予約電力の値がmax｛保証電力，PRACH事前定義送信電力｝以上であると判断するように特に構成され、ここで、maxは、最大値をとることを意味する。
【００２７】
第3の態様の第4から第6の可能な実施形態のいずれか1つを参照すると、第7の可能な実施形態において、
PRACH事前定義送信電力は、
min｛PCMAX，c（j），PREAMBLE＿RECEIVED＿TARGET＿POWER＋PLc｝であり、
ここで、PCMAX，c（j）は、番号xの第2のターゲットサブフレームのPRACHが位置するセルcの番号jのサブフレームの最大送信電力であり、プリアンブル受信ターゲット電力（PREAMBLE＿RECEIVED＿TARGET＿POWER）は、上位レイヤによって構成される電力パラメータであり、PLcはUEの経路損失の測定値であり、j＝x−1であり、番号jのサブフレームは、番号xのサブフレームの前のサブフレームであり、x−1が、0から9の範囲外である場合、番号jのサブフレームの番号は、（x−1）mod 10であり、ここで、modは、モジュロ演算子であり、または
PRACH事前定義送信電力は、PREAMBLE＿RECEIVED＿TARGET＿POWER＋PLcである。
【００２８】
第3の態様、または第3の態様の第1から第3の可能な実施形態のいずれか1つを参照すると、第8の可能な実施形態において、
プロセッサは、番号xの第2のターゲットサブフレームのアップリンクチャネルの、SRSチャネルを除く、別のチャネルを示すよう使用されるPDCCHが無く、番号xの第2のターゲットサブフレームが、何らのアップリンクチャネルも有さないか、またはSRSチャネルのみを有し、かつ番号iの第1のターゲットサブフレームのアップリンクチャネルが、少なくとも1つの非SRSチャネルを含む場合、予約電力が0であると判断するようにさらに構成される。
【００２９】
第4の態様によれば、本発明の一実施形態は、以下を含む、ユーザ機器（UE）を提供し、すなわち、
プログラム命令を含む情報を格納するように構成されたメモリを含み、
プロセッサが、メモリに結合されて、プログラム命令の実行を制御するように構成され、番号iの第1のターゲットサブフレームの少なくとも1つのアップリンクチャネルを判断するように特に構成され、ここで、iは、0から9のサブフレーム番号であり、番号iの第1のターゲットサブフレームのアップリンクチャネル情報が最高電力割当優先度を有する物理的ランダムアクセスチャネル（PRACH）を含み、プロセッサがさらに、番号iの第1のターゲットサブフレームのアップリンクチャネル情報に従って、番号xの第2のターゲットサブフレームが位置する基地局またはセルグループに対して予約される予約電力を判断するように特に構成され、
ここで、番号xの第2のターゲットサブフレームの伝達時間と第1のターゲットサブフレームの伝達時間とがオーバーラップし、第2のターゲットサブフレームの開始時間が第1のターゲットサブフレームの開始時間よりも遅く、第2のターゲットサブフレームが、第1のターゲットサブフレームのものとは異なる基地局またはセルグループに属するサブフレームであり、xが0から9のサブフレーム番号であり、またはxが0から9の範囲外である場合、xは、サブフレーム番号（x）mod10であり、ここで、modは、モジュロ演算子であり、プロセッサがさらに、予約電力に従って、番号iの第1のターゲットサブフレームの少なくとも1つのアップリンクチャネルにおける各アップリンクチャネルの送信電力を判断するように特に構成され、ここで、番号iの第1のターゲットサブフレームのすべてのアップリンクチャネルの送信電力と予約電力との合計は、UEの最大送信電力以下である。
【００３０】
第4の態様を参照すると、第1の可能な実施形態において、
プロセッサは、番号iの第1のターゲットサブフレームの少なくとも1つのアップリンクチャネルにおけるすべてのアップリンクチャネルの送信電力と予約電力との合計が、UEの最大送信電力よりも大きい場合、番号iの第1のターゲットサブフレームの少なくとも1つのアップリンクチャネルの少なくとも1つの送信電力を圧縮するようにさらに構成される。
【００３１】
第4の態様または第4の態様の第1の可能な実施形態を参照すると、第2の可能な実施形態において、ユーザ機器（UE）は、トランシーバをさらに含み、
トランシーバは、送信電力に従って、番号iの第1のターゲットサブフレームの少なくとも1つのアップリンクチャネルで信号を送信するように構成される。
【００３２】
第4の態様または第4の態様の上記可能な実施形態のいずれかを参照すると、第3の可能な実施形態において、
プロセッサは、PRACH送信電力および保証電力に従って予約電力を判断するようにさらに構成され、PRACH送信電力は、番号iの第1のターゲットサブフレームのPRACHの送信電力であり、保証電力は、上位レイヤシグナリングを使用することによって、番号xの第2のターゲットサブフレームが位置する基地局またはセルグループに対して構成される保証電力であり、予約電力は、保証電力以下であり、UEの最大送信電力とPRACH送信電力との差以下である。
【００３３】
第4の態様の第3の可能な実施形態を参照すると、第4の可能な実施形態において、
PRACH送信電力は、
min｛PCMAX，c（i），PREAMBLE＿RECEIVED＿TARGET＿POWER＋PLc｝であり、
ここで、PCMAX，c（i）は、番号iの第1のターゲットサブフレームのPRACHが位置するセルcのサブフレームiの最大送信電力であり、PREAMBLE＿RECEIVED＿TARGET＿POWERは、上位レイヤによって構成される電力パラメータであり、PLcは、UEの経路損失の測定値である。
【００３４】
第5の態様によれば、本発明の一実施形態は、以下を含む電力割当方法を提供し、すなわち、
ユーザ機器（UE）により、番号iの第1のターゲットサブフレームの少なくとも1つのアップリンクチャネルを判断するステップであって、iが0から9のサブフレーム番号である、ステップと、
UEにより、番号xの第2のターゲットサブフレームのアップリンクチャネル情報に従って、番号xの第2のターゲットサブフレームが位置する基地局またはセルグループに対して予約される予約電力を判断するステップであって、予約電力は、番号xの第2のターゲットサブフレームのアップリンクチャネルが物理的ダウンリンク制御チャネルオーダ（PDCCH order）によって示される物理的ランダムアクセスチャネル（PRACH）を含む場合に判断され、番号xの第2のターゲットサブフレームの伝達時間と第1のターゲットサブフレームの伝達時間とがオーバーラップし、第2のターゲットサブフレームの開始時間が第1のターゲットサブフレームの開始時間よりも遅く、第2のターゲットサブフレームが第1のターゲットサブフレームのものとは異なる基地局またはセルグループに属するサブフレームであり、xが0から9のサブフレーム番号であり、または
予約電力が、番号xの第2のターゲットサブフレームのアップリンクチャネルが番号x−nのサブフレームの物理的ダウンリンクチャネルを使用することによって判断されるPRACHを含む場合に判断され、ここで、nは5以上の整数であり、または
予約電力は、番号xの第2のターゲットサブフレームのアップリンクチャネルの、サウンディング基準信号（SRS）チャネルを除く、別のチャネルを示すために使用されるPDCCHが無い場合に判断され、番号xの第2のターゲットサブフレームは、何らのアップリンクチャネルも有さないか、もしくはSRSチャネルのみを有する、ステップと、
UEにより、予約電力に従って、番号iの第1のターゲットサブフレームの少なくとも1つのアップリンクチャネルにおける各アップリンクチャネルの送信電力を判断するステップであって、番号iの第1のターゲットサブフレームのすべてのアップリンクチャネルの送信電力と予約電力との合計が、UEの最大送信電力以下である、ステップとを含む。
【００３５】
第5の態様を参照すると、第1の可能な実施形態において、UEにより、予約電力に従って、番号iの第1のターゲットサブフレームの少なくとも1つのアップリンクチャネルにおける各アップリンクチャネルの送信電力を判断するステップは、
番号iの第1のターゲットサブフレームの少なくとも1つのアップリンクチャネルにおけるすべてのアップリンクチャネルの送信電力と予約電力との合計が、UEの最大送信電力よりも大きい場合、UEにより、番号iの第1のターゲットサブフレームの少なくとも1つのアップリンクチャネルの少なくとも1つの送信電力を圧縮するステップであって、その結果、番号iの第1のターゲットサブフレームの少なくとも1つのアップリンクチャネルにおけるすべてのアップリンクチャネルの送信電力と予約電力との合計が、ユーザ機器（UE）の最大送信電力以下となる、ステップを含む。
【００３６】
第5の態様または第5の態様の第1の可能な実施形態を参照すると、第2の可能な実施形態において、本方法は、
UEにより、送信電力に従って、番号iの第1のターゲットサブフレームの少なくとも1つのアップリンクチャネルで信号を送信するステップをさらに含む。
【００３７】
第5の態様または第5の態様の上記可能な実施形態のいずれかを参照すると、第3の可能な実施形態において、本方法は、
UEにより、PDCCH orderを検出することによって、番号xの第2のターゲットサブフレームのアップリンクチャネル情報が物理的ランダムアクセスチャネル（PRACH）を含むと判断するステップか、または、
UEにより、番号x−nのサブフレームの物理的ダウンリンクチャネルを検出することによって、番号xの第2のターゲットサブフレームのアップリンクチャネル情報がPRACHを含むと判断するステップか、または、
UEにより、PDCCHを検出することによって、番号xの第2のターゲットサブフレームのアップリンクチャネル情報が、サウンディング基準信号（SRS）チャネルのみを含むか、もしくは何らのチャネルも含まないと判断するステップかをさらに含む。
【００３８】
第5の態様または第5の態様の上記可能な実施形態のいずれか1つを参照すると、第4の可能な実施形態において、UEにより、番号xの第2のターゲットサブフレームのアップリンクチャネル情報に従って、番号xの第2のターゲットサブフレームが位置する基地局またはセルグループに対して予約される予約電力を判断するステップは、
UEにより、番号xの第2のターゲットサブフレームのアップリンクチャネルがPRACHを含む場合にPRACH事前定義送信電力および保証電力に従って予約電力を判断するステップであって、保証電力が、上位レイヤシグナリングを使用することにより、番号xの第2のターゲットサブフレームが位置する基地局またはセルグループに対して構成される保証電力である、ステップを含む。
【００３９】
第5の態様または第5の態様の第1から第3の可能な実施形態のいずれか1つを参照すると、第5の可能な実施形態において、UEにより、番号xの第2のターゲットサブフレームのアップリンクチャネル情報に従って、番号xの第2のターゲットサブフレームが位置する基地局またはセルグループに対して予約される予約電力を判断するステップは、
番号xの第2のターゲットサブフレームのアップリンクチャネルがPRACHを含む場合、UEにより、PRACHの優先度および番号iの第1のターゲットサブフレームのすべてのアップリンクチャネルの優先度を判断するステップと、
PRACHの優先度が番号iの第1のターゲットサブフレームのすべてのアップリンクチャネルの優先度よりも高い場合、UEにより、PRACH事前定義送信電力および保証電力に従って予約電力を判断するステップとを含む。
【００４０】
第5の態様の第4または第5の可能な実施形態を参照すると、第6の可能な実装態様において、UEにより、PRACH事前定義送信電力および保証電力に従って予約電力を判断するステップが、
UEにより、予約電力の値がmax｛予約電力，PRACH事前定義送信電力｝以上であると判断するステップを含み、ここで、maxは、最大値をとることを意味する。
【００４１】
第5の態様の第4から第6の可能な実施形態のいずれか1つを参照すると、第7の可能な実施形態において、
PRACH事前定義送信電力は、
min｛PCMAX，c（j），PREAMBLE＿RECEIVED＿TARGET＿POWER＋PLc｝であり、
ここで、PCMAX，c（j）は、番号xの第2のターゲットサブフレームのPRACHが位置するセルcの番号jのサブフレームの最大送信電力であり、プリアンブル受信ターゲット電力（PREAMBLE＿RECEIVED＿TARGET＿POWER）は、上位レイヤによって構成される電力パラメータであり、PLcはUEの経路損失の測定値であり、j＝x−1であり、番号jのサブフレームは、番号xのサブフレームの前のサブフレームであり、x−1が、0から9の範囲外である場合、番号jのサブフレームの番号は、（x−1）mod10であり、ここで、modは、モジュロ演算子であり、または
PRACH事前定義送信電力は、PREAMBLE＿RECEIVED＿TARGET＿POWER＋PLcである。
【００４２】
第5の態様または第5の態様の第1から第3の可能な実施形態のいずれか1つを参照すると、第8の可能な実施形態において、UEにより、番号xの第2のターゲットサブフレームのアップリンクチャネル情報に従って、番号xの第2のターゲットサブフレームが位置する基地局またはセルグループに対して予約される予約電力を判断するステップは、
番号xの第2のターゲットサブフレームのアップリンクチャネルの、SRSチャネルを除く、別のチャネルを示すために使用されるPDCCHが無く、番号xの第2のターゲットサブフレームが、何らのアップリンクチャネルも有さないか、またはSRSチャネルのみを有し、かつ番号iの第1のターゲットサブフレームのアップリンクチャネルが、少なくとも1つの非SRSチャネルを含む場合、UEにより、予約電力が0であると判断するステップを含む。
【００４３】
第6の態様によれば、本発明の一実施形態は、以下を含む電力割当方法を提供し、すなわち、
ユーザ機器（UE）により、番号iの第1のターゲットサブフレームの少なくとも1つのアップリンクチャネルを判断するステップであって、iは、0から9のサブフレーム番号である、ステップと、
番号iの第1のターゲットサブフレームのアップリンクチャネルが最高電力割当優先度を有する物理的ランダムアクセスチャネル（PRACH）を含む場合、UEにより、番号iの第1のターゲットサブフレームのアップリンクチャネル情報に従って、番号xの第2のターゲットサブフレームが位置する基地局またはセルグループに対して予約される予約電力を判断するステップであって、番号xの第2のターゲットサブフレームの伝達時間と第1のターゲットサブフレームの伝達時間とがオーバーラップし、第2のターゲットサブフレームの開始時間が、第1のターゲットサブフレームの開始時間よりも遅く、第2のターゲットサブフレームが、第1のターゲットサブフレームのものとは異なる基地局またはセルグループに属するサブフレームであり、xは、0から9のサブフレーム番号であるか、またはxが0から9の範囲外である場合に、xがサブフレーム番号（x）mod10であり、modがモジュロ演算子である、ステップと、
UEにより、予約電力に従って、番号iの第1のターゲットサブフレームの少なくとも1つのアップリンクチャネルにおける各アップリンクチャネルの送信電力を判断するステップであって、番号iの第1のターゲットサブフレームのすべてのアップリンクチャネルの送信電力と予約電力との合計が、UEの最大送信電力以下である、ステップと、を含む。
【００４４】
第6の態様を参照すると、第1の可能な実施形態において、UEにより、予約電力に従って、番号iの第1のターゲットサブフレームの少なくとも1つのアップリンクチャネルにおける各アップリンクチャネルの送信電力を判断するステップは、
番号iの第1のターゲットサブフレームの少なくとも1つのアップリンクチャネルにおけるすべてのアップリンクチャネルの送信電力と予約電力との合計が、UEの最大送信電力よりも大きい場合、UEにより、番号iの第1のターゲットサブフレームの少なくとも1つのアップリンクチャネルの少なくとも1つの送信電力を圧縮するステップであって、その結果、番号iの第1のターゲットサブフレームの少なくとも1つのアップリンクチャネルにおけるすべてのアップリンクチャネルの送信電力と予約電力との合計が、UEの最大送信電力以下となる、ステップを含む。
【００４５】
第6の態様または第6の態様の第1の可能な実施形態を参照すると、第2の可能な実施形態において、本方法は、
UEにより、送信電力に従って、番号iの第1のターゲットサブフレームの少なくとも1つのアップリンクチャネルで信号を送信するステップをさらに含む。
【００４６】
第6の態様、または第6の態様の上記可能な実施形態のいずれかを参照すると、第3の可能な実施形態において、UEにより、番号iの第1のターゲットサブフレームのアップリンクチャネル情報に従って、番号xの第2のターゲットサブフレームが位置する基地局またはセルグループに対して予約される予約電力を判断するステップが、
UEにより、PRACH送信電力および保証電力に従って予約電力を判断するステップであって、PRACH送信電力が、番号iの第1のターゲットサブフレームのPRACHの送信電力であり、保証電力が、上位レイヤシグナリングを使用することによって、番号xの第2のターゲットサブフレームが位置する基地局またはセルグループに対して構成される保証電力であり、予約電力が、保証電力以下であって、UEの最大送信電力とPRACH送信電力との差以下である、ステップを含む。
【００４７】
第6の態様の第3の可能な実施形態を参照すると、第4の可能な実施形態において、
PRACH送信電力は、
min｛PCMAX，c（i），PREAMBLE＿RECEIVED＿TARGET＿POWER＋PLc｝であり、
ここで、PCMAX，c（i）は、番号iの第1のターゲットサブフレームのPRACHが位置するセルcのサブフレームiの最大送信電力であり、PREAMBLE＿RECEIVED＿TARGET＿POWERは、上位レイヤによって構成される電力パラメータであり、PLcは、UEの経路損失の測定値である。
【００４８】
本発明の実施形態は、ユーザ機器および電力割当方法を提供する。先行技術では、以下の問題があり、すなわち、保証電力が、サブフレームj＋1のアップリンクチャネルの実際の送信電力割当を考慮することなく、サブフレームj＋1が位置する基地局またはセルグループに対して事前設定され、その場合、対応するアップリンクチャネルの、サブフレームiに割り当てられる、送信電力が、保証電力に従って決定され、その結果、UEが位置するセルの基地局におけるUEのアップリンクチャネルの受信性能が、アップリンクチャネルの予約送信電力（保証電力）が不適切な場合に影響を受ける。比較すると、本発明において、番号iの第1のターゲットサブフレームの少なくとも1つのアップリンクチャネルが判断され、番号xの第2のターゲットサブフレームのアップリンクチャネル情報に従って、番号xの第2のターゲットサブフレームが位置する基地局またはセルグループに対して予約された予約電力が判断され、予約電力は、番号x（x＝j＋1）の第2のターゲットサブフレームのアップリンクチャネル情報がPRACHを含むか、またはSRSチャネルのみを含むか、または何らのチャネルも含まない場合に判断され、番号xの第2のターゲットサブフレームの伝達時間と番号iの第1のターゲットサブフレームの伝達時間とがオーバーラップし、第2のターゲットサブフレームの開始時間が、番号iの第1のターゲットサブフレームの開始時間よりも遅く、その場合、予約電力に従って、番号iの第1のターゲットサブフレームの各アップリンクチャネルの送信電力が判断され、それにより、アップリンクチャネルの送信電力を適切に割り当てる目的を達成する。
【００４９】
本発明の実施形態における、または先行技術における技術的解決策をより明確に説明するために、以下に、本発明または先行技術を説明するために必要とされる添付図面を簡潔に説明する。明らかに、以下の説明における添付図面は、単に本発明のいくつかの実施形態を示し、当業者は、創造的な努力なくこれらの添付図面から他の図面をさらに導出する
ことができる。
【図面の簡単な説明】
【００５０】
【図１】本発明の一実施形態による、ユーザ機器（UE）で使用される非同期アップリンク伝達時間を伴う2つのセルに対応するサブフレーム構造の概略図である。
【図２】本発明の一実施形態による、無線通信システムにおけるUEと基地局との間の接続を示す概略図である。
【図３】本発明の一実施形態による、ユーザ機器（UE）の概略構造図である。
【図４】本発明の一実施形態による、別のユーザ機器（UE）の概略構造図である。
【図５】本発明の一実施形態による、さらに別のユーザ機器（UE）の概略構造図である。
【図６】本発明の一実施形態による、また別のユーザ機器（UE）の概略構造図である。
【図７】本発明の一実施形態による、ユーザ機器（UE）のハードウェア構造図である。
【図８】本発明の一実施形態による、別のユーザ機器（UE）のハードウェア構造図である。
【図９】本発明の一実施形態による電力割当方法のフローチャートである。
【図９（ａ）】本発明の一実施形態による電力割当方法で使用される2つの非同期セルに対応するサブフレーム構造の概略図である。
【図１０】本発明の一実施形態による別の電力割当方法のフローチャートである。
【発明を実施するための形態】
【００５１】
以下で、本発明の実施形態における添付図面を参照して本発明の実施形態での技術的解決策を明確および完全に説明する。明らかに、説明する実施形態は、本発明の実施形態の単なる一部であり、すべてではない。創造的努力無しに本発明の実施形態に基づいて当業者によって得られる他のすべての実施形態は、本発明の保護範囲内にある。
【００５２】
本明細書で使用される「コンポーネント」、「モジュール」、および「システム」などの用語は、コンピュータ関連エンティティ、ハードウェア、ファームウェア、ハードウェアとソフトウェアの組み合わせ、ソフトウェアまたは実行されるソフトウェアを示すために使用される。例えば、コンポーネントは、これらに限定されないが、プロセッサ、プロセッサ、オブジェクト、実行可能ファイル、実行スレッド、プログラム、および／またはコンピュータ上で動作する処理とすることができる。図に示すように、コンピューティングデバイスと、そのコンピューティングデバイス上で動作するアプリケーションの両方を、コンポーネントとすることができる。1つまたは複数のコンポーネントは、処理および／または実行スレッド内に存在してもよく、コンポーネントは、1つのコンピュータ上に配置されてもよく、および／または2つ以上のコンピュータ間に分散されてもよい。さらに、これらのコンポーネントは、さまざまなデータ構造を格納するさまざまなコンピュータ読込み可能媒体から実行してもよい。例えば、コンポーネントは、ローカル処理および／またはリモート処理を使用することによって、および、例えば、1つまたは複数のデータパケットを有する信号（例えば、ローカルシステム、分散システム、および／または信号を使用することによって別のシステムと相互通信するインターネットなどのネットワークを介して、別のコンポーネントと相互通信する2つのコンポーネントからのデータ）に従って、通信することができる。
【００５３】
本発明は、無線通信システムに適用可能である。図2に示すように、本システムは、能動型アンテナ201、UE202、第1の基地局203、第2の基地局204、電力供給デバイス205、および無線周波数ケーブルフィーダ206を含む。
【００５４】
能動型アンテナ201は、送受信一体型アンテナであり、主に、電気信号を、大気中を伝播する電磁波に変換し、大気中を伝播する電磁波信号を電気信号に変換する。
【００５５】
UE202は、移動通信交換局を使用することによって、基地局203との情報伝達を行うユーザ端末である。本発明の場合、UE202は、番号iの第1のターゲットサブフレームの少なくとも1つのアップリンクチャネルを判断し、番号xの第2のターゲットサブフレームのアップリンクチャネル情報に従って、番号xの第2のターゲットサブフレームが位置する基地局またはセルグループに対して予約される予約電力を判断するように構成され、予約電力は、番号xの第2のターゲットサブフレームのアップリンクチャネルがPDCCH order（Physical Downlink Control Channel order、物理的ダウンリンク制御チャネルオーダ）によって示されるPRACH（Physical Random Access Channel、物理的ランダムアクセスチャネル）を含む場合に判断され、または予約電力は、番号xの第2のターゲットサブフレームのアップリンクチャネルが番号x−nのサブフレームの物理的ダウンリンクチャネルを使用することによって判断されるPRACHを含む場合に判断され、または予約電力は、番号xの第2のターゲットサブフレームのアップリンクチャネルの、SRS（Sounding Reference Signal、サウンディング基準信号）を除く、別のチャネルを示すために使用するPDCCHが無く、番号xの第2のターゲットサブフレームが何らのアップリンクチャネルも有さないか、もしくはSRSチャネルのみを有する場合に判断され、UEはさらに、予約電力に従って、番号iの第1のターゲットサブフレームの少なくとも1つのアップリンクチャネルにおける各アップリンクチャネルの送信電力を判断するように構成され、ここで、番号iの第1のターゲットサブフレームのすべてのアップリンクチャネルの送信電力と予約電力との合計が、UEの最大送信電力以下である。
【００５６】
番号xの第2のターゲットサブフレームが、何らのアップリンクチャネルも有さないか、またはSRSチャネルのみを有するということは、番号xの第2のターゲットサブフレームに対して、上位レイヤシグナリングを使用することによって構成されるアップリンクPUCCHなどの、アップリンクチャネルの、SRSチャネルを除く、別のチャネルを構成するための他の方法が存在しないことを意味し、
iおよびxは、サブフレーム番号であり、iまたはxが0から9の範囲外である場合、サブフレーム番号は、imod10または（x）mod10である。番号xの第2のターゲットサブフレームの伝達時間および第1のターゲットサブフレームの伝達時間は、オーバーラップし、第2のターゲットサブフレームの開始時間は、第1のターゲットサブフレームの開始時間よりも遅く、第2のターゲットサブフレームは、第1のターゲットサブフレームのものとは異なる基地局またはセルグループに属するサブフレームである。
【００５７】
本発明において、番号xの第2のターゲットサブフレームにおける任意のサブフレームは、図1に示すサブフレームj＋1に対応する。
【００５８】
説明を簡単にするために、番号iの第1のターゲットサブフレームは第1の基地局203に属し、番号xの第2のターゲットサブフレームは第2の基地局204に属する。各基地局のものであり、UE202にサービスを提供する少なくとも1つのセルを、セルグループを呼ぶ。本発明において、基地局は、セルグループと同等であると考えてよい。
【００５９】
ダウンリンク伝達時間は、1つの基地局のさまざまなセルの間で同期することに留意されたい。したがって、さまざまなセルのアップリンクサブフレームが、基本的に並べられる。しかしながら、さまざまなセルのTA（Timing Advance、タイミングアドバンス）が異なる可能性があるため、さまざまなセルの間にアップリンクサブフレームタイミングの小さな差が存在し、その差は、1シンボル未満である。本発明において、番号iのサブフレームは、1つの基地局の1つまたは複数の能動セルの、時間の点から基本的に並べられる、アップリンクサブフレームを意味し、これらのサブフレームの番号はiであり、番号xのサブフレームは、別の基地局の1つまたは複数の能動セルの、時間の点から基本的に並べられる、アップリンクサブフレームを意味し、これらのサブフレームの番号は、xである。すなわち、1つの基地局に属する第1のターゲットサブフレームは、番号が同一の複数のサブフレームを意味し、各サブフレームは、1つのセルに対応し、すなわち、1つの基地局によってサービス提供されるセルの量は、この基地局の、同じサブフレーム番号を有する、サブフレームの量と同じである。
【００６０】
基地局（第1の基地局203または第2の基地局204）は、無線局の一形態であり、特定の無線サービスエリア内で、移動通信交換局を使用することによって、携帯電話端末（例えば、このシステムにおけるUE202など）との情報伝達を行う無線送受信局を意味する。本発明において、基地局（第1の基地局203または第2の基地局204）は、PDCCHまたはPDCCHとPDSCH（Physical Downlink Shared Channel、物理的ダウンリンク共有チャネル）とをUE202に送信するようにさらに構成され、その結果、UE202は、PDCCH orderにおける指示に従って、番号xの第2のターゲットサブフレームのアップリンクチャネル情報がPRACHを含むことを学習し、番号x−nのサブフレームの（PDCCHとPDSCHとを含む）物理的ダウンリンクチャネルに従って、番号xの第2のターゲットサブフレームのアップリンクチャネル情報がPRACHを含むことを学習し、番号xの第2のターゲットサブフレームのアップリンクチャネルの、SRS（Sounding Reference Signal、サウンディング基準信号）チャネルを除く、別のチャネルを示すために使用されるPDCCHが無い（すなわち、番号xの第2のターゲットサブフレームのアップリンクチャネル情報が、SRSチャネルのみを含むか、または何らのチャネルも含まない）という事実に従って、番号xの第2のターゲットサブフレームが、何らのアップリンクチャネルも有さないか、またはSRSチャネルのみを有するという事実に従って、および番号i−mのサブフレームの（PDCCHおよび／またはPDSCHを含む）物理的ダウンリンクチャネルに従って、番号iの第1のターゲットサブフレームのアップリンクチャネル情報が、最高電力割当優先度を有するPRACHを含むことを学習する。その場合、予約電力は、番号xの第2のターゲットサブフレームが位置する基地局またはセルグループに対して予約されて、番号xの第2のターゲットサブフレームのアップリンクチャネル情報に従って、または番号iの第1のターゲットサブフレームのアップリンクチャネル情報に従って、判断され、
ここで、mは、4以上の整数である。
【００６１】
任意選択的に、本発明において、基地局は、eNB（evolved NodeB、発展型NodeB）とすることができる。
【００６２】
電力供給デバイス205は、外部入力直流電流／交流電流を、本システムによって要求される直流電流に変換し、次いで、直流電流を、無線周波数ケーブルフィーダ206に出力する。
【００６３】
無線周波数ケーブルフィーダ206は、能動型アンテナ201と基地局（第1の基地局203、第2の基地局204）とを接続するように構成される。
【００６４】
無線通信システムに含まれるデバイスは、上記したデバイスに限定されないことが理解されよう。
【００６５】
図3は、無線通信システムにおいて電力割当方法を行うための装置30、すなわち、ユーザ機器（UE）30を示す。ユーザ機器（UE）30は、図2に示すUE202に対応する。ユーザ機器（UE）30は、判断モジュール301および計算モジュール302を含む。
【００６６】
判断モジュール301は、番号iの第1のターゲットサブフレームの少なくとも1つのアップリンクチャネルを判断し、計算モジュール302に番号iの第1のターゲットサブフレームの少なくとも1つのアップリンクチャネルをもたらすように構成され、ここで、iは、0から9のサブフレーム番号である。
【００６７】
判断モジュール301は、番号xの第2のターゲットサブフレームのアップリンクチャネル情報に従って、番号xの第2のターゲットサブフレームが位置する基地局またはセルグループに対して予約される予約電力を判断するようにさらに構成され、ここで、予約電力は、番号xの第2のターゲットサブフレームのアップリンクチャネルが物理的ダウンリンク制御チャネルオーダ（PDCCH order）によって示される物理的ランダムアクセスチャネル（PRACH）を含む場合に判断され、番号xの第2のターゲットサブフレームの伝達時間と第1のターゲットサブフレームの伝達時間とはオーバーラップし、第2のターゲットサブフレームの開始時間は、第1のターゲットサブフレームの開始時間よりも遅く、第2のターゲットサブフレームは、第1のターゲットサブフレームのものとは異なる基地局またはセルグループに属するサブフレームであり、xは、0から9のサブフレーム番号であり、または予約電力は、番号xの第2のターゲットサブフレームのアップリンクチャネルが、番号x−nのサブフレームの物理的ダウンリンクチャネルを使用することによって判断されるPRACHを含む場合に判断され、ここで、nは、5以上の整数であり、または予約電力は、番号xの第2のターゲットサブフレームのアップリンクチャネルの、サウンディング基準信号（SRS）チャネルを除く、別のチャネルを示すために使用されるPDCCHが無く、番号xの第2のターゲットサブフレームが、何らのアップリンクチャネルも有さないか、もしくはSRSチャネルのみを有する場合に判断され、判断モジュール301はさらに、計算モジュール302に予約電力をもたらすようにさらに構成される。
【００６８】
予約電力は、番号xの第2のターゲットサブフレームが位置する基地局またはセルグループに対してUEによって予約される送信電力であり、したがって、UEは、番号xの第2のターゲットサブフレームで、番号xのサブフレームに対応するアップリンクチャネルを送信することができる。予約電力の値は、番号xのサブフレームが位置する基地局またはセルグループの実際の送信電力以下であることが理解されよう。
【００６９】
計算モジュール302は、予約電力に従って、番号iの第1のターゲットサブフレームの少なくとも1つのアップリンクチャネルにおける各アップリンクチャネルの送信電力を判断するように構成され、番号iの第1のターゲットサブフレームのすべてのアップリンクチャネルの送信電力と予約電力との合計は、UEの最大送信電力以下である。
【００７０】
本発明のこの実施形態は、電力割当装置を提供する。先行技術では、以下の問題があり、すなわち、保証電力が、サブフレームx（サブフレームj＋1）のアップリンクチャネルの実際の送信電力割当を考慮することなく、サブフレームxが位置する基地局またはセルグループに対して事前設定され、その場合、対応するアップリンクチャネルの、サブフレームiに割り当てられる、送信電力が、保証電力に従って決定され、その結果、UEが位置するセルの基地局におけるUEのアップリンクチャネルの受信性能が、アップリンクチャネルの予約送信電力（保証電力）が不適切な場合に影響を受ける。比較すると、本発明において、判断モジュールが、番号iの第1のターゲットサブフレームの少なくとも1つのアップリンクチャネルを判断し、番号xの第2のターゲットサブフレームのアップリンクチャネル情報に従って、番号xの第2のターゲットサブフレームが位置する基地局またはセルグループに対して予約される予約電力を判断し、予約電力は、番号xの第2のターゲットサブフレームのアップリンクチャネル情報がPRACHを含むか、またはSRSチャネルのみを含むか、または何らのチャネルも含まない場合に判断され、番号xの第2のターゲットサブフレームの伝達時間と番号iの第1のターゲットサブフレームの伝達時間とがオーバーラップし、第2のターゲットサブフレームの開始時間が、番号iの第1のターゲットサブフレームの開始時間よりも遅く、その場合、計算モジュールが、予約電力に従って、番号iの第1のターゲットサブフレームの少なくとも1つのアップリンクチャネルにおける各アップリンクチャネルの送信電力を判断し、それにより、アップリンクチャネルの送信電力を適切に割り当てる目的を達成する。
【００７１】
さらに、任意選択的に、本発明は、別のユーザ機器（UE）40をさらに提供する。図4に示すように、ユーザ機器（UE）40は、受信モジュール303、検出モジュール304、判定モジュール305、および送信モジュール306をさらに含む。
【００７２】
受信モジュール303は、PDCCH orderを受信し、番号x−nのサブフレームの物理的ダウンリンクチャネルを受信し、PDCCHを受信し、検出モジュール304にPDCCH order、番号x−nのサブフレームの物理的ダウンリンクチャネル、およびPDCCHをもたらすように構成される。
【００７３】
さらに、検出モジュール304は、PDCCH orderを検出し、番号x−nのサブフレームの物理的ダウンリンクチャネルを検出し、PDCCHを検出し、判断モジュール301に検出結果をもたらすように構成される。
【００７４】
判断モジュール301は、検出結果に従って、番号xの第2のターゲットサブフレームの、PDCCH orderで搬送される、アップリンクチャネル情報が、物理的ランダムアクセスチャネル（PRACH）を含むと判断するか、または検出結果に従って、番号xの第2のターゲットサブフレームの、番号x−nのサブフレームの物理的ダウンリンクチャネルで搬送される、アップリンクチャネル情報が、PRACHを含むと判断するか、または検出結果に従って、番号xの第2のターゲットサブフレームの、PDCCHで搬送される、アップリンクチャネル情報が、サウンディング基準信号（SRS）チャネルのみを含む、もしくは何らのチャネルも含まないと判断する、ようにさらに構成される。
【００７５】
さらに、任意選択的に、番号xの第2のターゲットサブフレームのアップリンクチャネルがPRACHを含む場合、判断モジュール301は、PRACH事前定義送信電力および保証電力に従って予約電力を判断し、ここで、PRACH事前定義送信電力は、PRACHに対して事前定義された送信電力であり、保証電力は、上位レイヤシグナリングを使用することによって、番号xの第2のターゲットサブフレームが位置する基地局またはセルグループに対して、構成される保証電力であり、ここで、上位レイヤシグナリングは、RRCシグナリングとすることができる。
【００７６】
さらに、任意選択的に、検出モジュール304は、番号xの第2のターゲットサブフレームがPRACHを含むことを検出し、判定モジュール305は、PRACHの優先度と、番号iの第1のターゲットサブフレームのすべてのアップリンクチャネルの優先度を判断し、判断モジュール301に判断結果をもたらすように構成される。
【００７７】
判断モジュール301は、PRACH事前定義送信電力と保証電力とに従って、判断結果が、PRACHの優先度が番号iの第1のターゲットサブフレームのすべてのアップリンクチャネルの優先度よりも高いという結果である場合に、予約電力を判断するようにさらに構成される。
【００７８】
判断モジュール301によって判断された予約電力の値は、max｛保証電力，PRACH事前定義送信電力｝以上とすることができる。例えば、予約電力＝max｛保証電力，PRACH事前定義送信電力｝であり、ここで、maxは、最大値をとることを意味する。
【００７９】
任意選択的に、PRACH事前定義送信電力は、
min｛PCMAX，c（j），PREAMBLE＿RECEIVED＿TARGET＿POWER＋PLc｝であり、
ここで、PCMAX，c（j）は、番号xの第2のターゲットサブフレームのPRACHが位置するセルcのサブフレームjの最大送信電力であり、プリアンブル受信ターゲット電力（PREAMBLE＿RECEIVED＿TARGET＿POWER）は、上位レイヤによって構成される電力パラメータであり、PLcは、UEの経路損失の測定値であり、ここで、PLcは、セルcまたは別の基準セルの基準信号を測定することによってUEにより取得することができ、j＝x−1であり、番号jのサブフレームは、番号xのサブフレームの前のサブフレームであり、x−1は、0から9の範囲外であり、サブフレームjの番号は、（x−1）mod 10であり、ここで、modは、モジュロ演算子である。
【００８０】
あるいは、PRACH事前定義送信電力は、
PREAMBLE＿RECEIVED＿TARGET＿POWER＋PLcとしてもよい。
【００８１】
さらに、任意選択的に、番号xの第2のターゲットサブフレームのアップリンクチャネルの、SRSチャネルを除く、別のチャネルを示すために使用されるPDCCHが無く、番号xの第2のターゲットサブフレームが何らのアップリンクチャネルも有さないか、またはSRSチャネルのみを有し、かつ番号iの第1のターゲットサブフレームのアップリンクチャネルが少なくとも1つの非SRSチャネルを含む場合、判断モジュール301は、予約電力が0であると判断する。
【００８２】
番号xの第2のターゲットサブフレームが位置する基地局またはセルグループに対して本明細書で判断モジュール301によって予約される予約電力0は、判断モジュール301が、番号xの第2のターゲットサブフレームが位置する基地局またはセルグループに対して何らの電力も予約しないことを示すことができることに留意されたい。
【００８３】
さらに、任意選択的に、計算モジュール302は、番号iの第1のターゲットサブフレームの少なくとも1つのアップリンクチャネルにおけるすべてのアップリンクチャネルの送信電力と予約電力との合計が、UEの最大送信電力よりも大きい場合、番号iの第1のターゲットサブフレームの少なくとも1つのアップリンクチャネルの少なくとも1つの送信電力を圧縮するように構成される。
【００８４】
計算モジュール302が、アップリンクチャネルの送信電力制御式に従って、番号iの第1のターゲットサブフレームの各アップリンクチャネルの送信電力を計算するので、番号iの第1のターゲットサブフレームのすべてのアップリンクチャネルの総送信電力が、予約電力がUEの最大送信電力から引かれた後に取得される残りの送信電力を超える場合、計算モジュール302は、番号iの第1のターゲットサブフレームのアップリンクチャネルの送信電力割当優先度に従って、電力圧縮を実行し、すなわち、より優先度の高いチャネルに電力を優先的に割り当てる。アップリンクチャネルの送信電力が充分ではない場合、アップリンクチャネルの送信電力は、番号iの第1のターゲットサブフレームのすべてのアップリンクチャネルの送信電力と予約電力との合計がUEの最大送信電力以下となることを保証するために圧縮される。
【００８５】
計算モジュール302が、予約電力に従って、番号iの第1のターゲットサブフレームの少なくとも1つのアップリンクチャネルにおける各アップリンクチャネルの送信電力を判断すると、送信モジュール304が、送信電力に従って、番号iの第1のターゲットサブフレームの少なくとも1つのアップリンクチャネルで信号を送信する。
【００８６】
図3および図4に示す判断モジュール301、計算モジュール302、検出モジュール304、および判定モジュール305は、ベースバンドプロセッサおよび／またはCPU（Central Processing Unit、中央処理装置）などの、処理モジュールまたはプロセッサとしてもよいことに留意されたい。
【００８７】
本発明において、判断モジュールが、番号iの第1のターゲットサブフレームのアップリンクチャネルの送信電力を判断する前に、番号xの第2のターゲットサブフレームのアップリンクチャネル情報がPRACHを含むか、またはSRSチャネルのみを含むか、または何らのチャネルも含まないと判断モジュールが判断した場合、番号xの第2のターゲットサブフレームが位置する基地局またはセルグループに対して判断される予約電力は、より適切であり、したがって、番号iの第1のターゲットサブフレームの各アップリンクチャネルの、計算モジュールによって決定された、送信電力もまた適切であり、それにより、UEが位置するセルの基地局におけるUEのアップリンクチャネルの受信性能が低いという問題を解決する。
【００８８】
図5に示すように、本発明は、ユーザ機器（UE）50をさらに提供し、ユーザ機器（UE）50は、図2に示したUE202に対応する。ユーザ機器（UE）50は、判断モジュール501および計算モジュール502を含む。
【００８９】
判断モジュール501は、番号iの第1のターゲットサブフレームの少なくとも1つのアップリンクチャネルを判断し、計算モジュール502に番号iの第1のターゲットサブフレームの少なくとも1つのアップリンクチャネルをもたらすように構成され、ここで、iは、0から9のサブフレーム番号である。
【００９０】
判断モジュール501は、番号iの第1のターゲットサブフレームのアップリンクチャネル情報が最高電力割当優先度を有するPRACHを含む場合、番号iの第1のターゲットサブフレームのアップリンクチャネル情報に従って、番号xの第2のターゲットサブフレームが位置する基地局またはセルグループに対して予約される予約電力を判断し、計算モジュール502に予約電力をもたらすように構成され、ここで、番号xの第2のターゲットサブフレームの伝達時間と第1のターゲットサブフレームの伝達時間とがオーバーラップし、第2のターゲットサブフレームの開始時間が第1のターゲットサブフレームの開始時間よりも遅く、第2のターゲットサブフレームが、第1のターゲットサブフレームのものとは異なる基地局またはセルグループに属するサブフレームであり、xは、番号0から9のサブフレームであり、またはxが範囲0から9の外にある場合、xは、サブフレーム番号（x）mod10である。
【００９１】
時間オーバーラップを有するすべてのアップリンクチャネルと番号iの第1のターゲットサブフレームとを比較することによって、判断モジュール501は、番号iの第1のターゲットサブフレームのPRACHの電力割当優先度が最高であると判断する。すべてのアップリンクチャネルは、PUCCH、PUSCH、PRACH、およびSRSなどを含む。チャネルの電力割当優先度は、事前定義される。例えば、PRACHの優先度は、他の種類のチャネルのものよりも高く、基地局またはセルグループの一次セルのPRACHの優先度は、二次セルのPRACHのものよりも高く、一次基地局または一次セルグループのPRACHの優先度は、二次基地局または二次セルグループのPRACHのものよりも高い。番号iの第1のターゲットサブフレームが位置する基地局またはセルグループが一次基地局または一次セルグループである場合、PRACHが位置するセルは、一次セルグループ内の一次セルであり、番号iの第1のターゲットサブフレームのアップリンクチャネルに含まれるPRACHは、最高電力割当優先度を有するアップリンクチャネルである。
【００９２】
計算モジュール502は、予約電力に従って、番号iの第1のターゲットサブフレームの少なくとも1つのアップリンクチャネルにおける各アップリンクチャネルの送信電力を判断するように構成され、番号iの第1のターゲットサブフレームのすべてのアップリンクチャネルの送信電力と予約電力との合計は、UEの最大送信電力以下である。
【００９３】
さらに、本発明は、ユーザ機器（UE）60をさらに提供する。図6に示すように、ユーザ機器（UE）60は、送信モジュール503をさらに含む。
【００９４】
計算モジュール502が、予約電力に従って、番号iの第1のターゲットサブフレームの少なくとも1つのアップリンクチャネルにおける各アップリンクチャネルの送信電力を判断すると、送信モジュール503が、送信電力に従って、番号iの第1のターゲットサブフレームの少なくとも1つのアップリンクチャネルで信号を送信する。
【００９５】
さらに、任意選択的に、計算モジュール502は、番号iの第1のターゲットサブフレームの少なくとも1つのアップリンクチャネルにおけるすべてのアップリンクチャネルの送信電力と予約電力との合計が、UEの最大送信電力よりも大きい場合、番号iの第1のターゲットサブフレームの少なくとも1つのアップリンクチャネルの少なくとも1つの送信電力を圧縮するようにさらに構成される。
【００９６】
ユーザ機器40と同じように、計算モジュール502が、アップリンクチャネルの電力制御式に従って、番号iの第1のターゲットサブフレームの各アップリンクチャネルの電力を計算するので、番号iの第1のターゲットサブフレームのすべてのアップリンクチャネルの総送信電力がUEの最大送信電力から予約電力を引いた後に得られる残りの電力を超える場合、電力圧縮が、番号iの第1のターゲットサブフレームのアップリンクチャネルの優先度に従って実行され、番号iの第1のターゲットサブフレームのすべてのアップリンクチャネルの送信電力と予約電力との合計が、UEの最大送信電力以下となることを保証する。
【００９７】
さらに、任意選択的に、判断モジュール501は、PRACH送信電力および保証電力に従って予約電力を判断し、PRACH送信電力は、番号iの第1のターゲットサブフレームのPRACHの送信電力であり、保証電力は、上位レイヤシグナリングを使用することによって、番号xの第2のターゲットサブフレームが位置する基地局またはセルグループに対して構成される保証電力であり、予約電力は、保証電力以下であり、UEの最大送信電力PCMAXとPRACH送信電力との差以下である。例えば、予約電力＝max｛保証電力，PCMAX−PRACH送信電力｝である。上位レイヤシグナリングは、RRCシグナリングとすることができる。
【００９８】
PRACH送信電力は、
min｛PCMAX，c（i），PREAMBLE＿RECEIVED＿TARGET＿POWER＋PLc｝とすることができ、
ここで、PCMAX，c（i）は、番号iの第1のターゲットサブフレームのPRACHが位置するセルcのサブフレームiの最大送信電力であり、PREAMBLE＿RECEIVED＿TARGET＿POWERは、上位レイヤによって構成される電力パラメータであり、PLcは、UEの経路損失の測定値であり、PLcはセルcまたは別の基準セルの基準信号を測定することによってUEにより取得することができる。
【００９９】
本発明において、判断モジュールが、番号iの第1のターゲットサブフレームのアップリンクチャネルの送信電力を判断する前に、判断モジュールが、番号iの第1のターゲットサブフレームのアップリンクチャネル情報が最高電力割当優先度を有するPRACHを含むと判断した場合、番号xの第2のターゲットサブフレームが位置する基地局またはセルグループに対して番号iの第1のターゲットサブフレームのアップリンクチャネル情報に従って判断モジュールによって判断される、予約電力がより適切になり、番号iの第1のターゲットサブフレームの各アップリンクチャネルの、計算モジュールによって決定された、送信電力もまた、適切であり、それにより、UEが位置するセルの基地局におけるUEのアップリンクチャネルの受信性能が低いという問題を解決する。
【０１００】
図5および図6に示す判断モジュール501および計算モジュール502は、ベースバンドプロセッサおよび／またはCPUなどの処理モジュールまたはプロセッサとしてもよいことに留意されたい。
【０１０１】
本発明は、別のユーザ機器（UE）をさらに提供することができ、この装置のモジュールの機能は、図3、図4、図5、および図6に示すすべてのモジュールの機能を含むことができることに留意されたい。
【０１０２】
図7に示すように、図7は、UEのハードウェア構造の概略図である。UEはメモリ701、トランシーバ702、およびプロセッサ703を含むことができる。
【０１０３】
メモリ701は、リードオンリメモリ（Read Only Memory、ROM）、静的ストレージデバイス、動的ストレージデバイス、またはランダム・アクセス・メモリ（Random Access Memory、RAM）とすることができる。メモリ701は、オペレーティングシステムおよび別のアプリケーションプログラムを格納することができる。本発明の実施形態で提供される技術的解決策は、ソフトウェアまたはファームウェアを使用することによって実施され、本発明の実施形態で提供される技術的解決策を実施するためのプログラムコードは、メモリ701に格納され、プロセッサ703によって実行される。
【０１０４】
トランシーバ702は、装置と他のデバイスまたは他の通信ネットワーク（例えば、これらに限定されないが、Ethernet、無線アクセスネットワーク（Radio Access Network、RAN）、および無線ローカルエリアネットワーク（Wireless Local Area Network、WLAN））の間で通信するために使用される。本発明の場合、トランシーバ702は、基地局によって送信されるPDCCHまたはPDCCHおよびPDSCHを受信するように構成される。
【０１０５】
プロセッサ703は、汎用中央処理装置（Central Processing Unit、CPU）、マイクロプロセッサ、特定用途向け集積回路（Application Specific Integrated Circuit、ASIC）、または1つもしくは複数の集積回路とすることができ、関連プログラムを実行するように構成され、本発明の実施形態で提供される技術的解決策を実施する。
【０１０６】
図7に示すハードウェアは、メモリ701、トランシーバ702、およびプロセッサ703のみを示すが、特定の実施処理では、当業者は、端末が通常実行するために必要な他のコンポーネントをさらに含むことを理解すべきであることに留意されたい。さらに、特定の要件によれば、当業者は、他の機能を実施するハードウェアコンポーネントもまた含むことができることを理解すべきである。
【０１０７】
特に、図7に示すUEが図3および図4に示す実施形態における装置を実現するために使用される場合、その装置内のプロセッサ703は、メモリ701およびトランシーバ702に結合されるように構成され、プログラム命令の実行を制御するように構成され、番号iの第1のターゲットサブフレームの少なくとも1つのアップリンクチャネルを判断するように特に構成され、ここで、iは、0から9のサブフレーム番号であり、プロセッサがさらに、番号xの第2のターゲットサブフレームのアップリンクチャネル情報に従って、番号xの第2のターゲットサブフレームが位置する基地局またはセルグループに対して予約される予約電力を判断するように特に構成され、ここで、予約電力は、番号xの第2のターゲットサブフレームのアップリンクチャネルがPDCCH orderによって示されるPRACHを含む場合に判断され、番号xの第2のターゲットサブフレームの伝達時間と第1のターゲットサブフレームの伝達時間とがオーバーラップし、第2のターゲットサブフレームの開始時間が第1のターゲットサブフレームの開始時間よりも遅く、第2のターゲットサブフレームが第1のターゲットサブフレームのものとは異なる基地局またはセルグループに属するサブフレームであり、xが0から9のサブフレーム番号であり、または予約電力は、番号xの第2のターゲットサブフレームのアップリンクチャネルが番号x−nのサブフレームの物理的ダウンリンクチャネルを使用することによって判断されるPRACHを含み、nは5以上の整数であり、または予約電力は、番号xの第2のターゲットサブフレームのアップリンクチャネルの、SRSチャネルを除く、別のチャネルを示すために使用されるPDCCHが無い場合に判断され、番号xの第2のターゲットサブフレームは、何らのアップリンクチャネルも有さないか、SRSチャネルのみを有し、プロセッサがさらに、予約電力に従って、番号iの第1のターゲットサブフレームの少なくとも1つのアップリンクチャネルにおける各アップリンクチャネルの送信電力を判断するように特に構成され、番号iの第1のターゲットサブフレームのすべてのアップリンクチャネルの送信電力と予約電力との合計が、UEの最大送信電力以下である。
【０１０８】
さらに、任意選択的に、プロセッサ703は、番号iの第1のターゲットサブフレームの少なくとも1つのアップリンクチャネルにおけるすべてのアップリンクチャネルの送信電力と予約電力との合計が、UEの最大送信電力よりも大きい場合、番号iの第1のターゲットサブフレームの少なくとも1つのアップリンクチャネルの少なくとも1つの送信電力を圧縮するようにさらに構成される。
【０１０９】
さらに、プロセッサ703が、予約電力に従って、番号iの第1のターゲットサブフレームの少なくとも1つのアップリンクチャネルにおける各アップリンクチャネルの送信電力を判断すると、トランシーバ702が、送信電力に従って、番号iの第1のターゲットサブフレームの少なくとも1つのアップリンクチャネルで信号を送信するようにさらに構成される。
【０１１０】
さらに、任意選択的に、トランシーバ702は、PDCCH orderを受信し、番号x−nのサブフレームの物理的ダウンリンクチャネルを受信し、PDCCHを受信し、プロセッサ703にPDCCH order、番号x−nのサブフレームの物理的ダウンリンクチャネル、およびPDCCHをもたらすようにさらに構成される。
【０１１１】
プロセッサ703は、PDCCH orderを検出することによって、番号xの第2のターゲットサブフレームのアップリンクチャネル情報が物理的ランダムアクセスチャネル（PRACH）を含むと判断するか、または番号x−nのサブフレームの物理的ダウンリンクチャネルを検出することによって、番号xの第2のターゲットサブフレームのアップリンクチャネル情報がPRACHを含むと判断するか、またはPDCCHを検出することによって、番号xの第2のターゲットサブフレームのアップリンクチャネル情報がSRSチャネルのみを含むか、もしくは何らのチャネルも含まないかを判断するように特に構成される。
【０１１２】
番号xの第2のターゲットサブフレームのアップリンクチャネルがPRACHを含む場合、プロセッサ703は、PRACH事前定義送信電力および保証電力に従って予約電力を判断し、ここで、PRACH事前定義送信電力は、PRACHに対して事前定義された送信電力であり、保証電力は、無線リソース制御RRCシグナリングを使用することによって、番号xの第2のターゲットサブフレームが位置する基地局またはセルグループに対して、構成される保証電力である。
【０１１３】
さらに、番号xの第2のターゲットサブフレームのアップリンクチャネルがPRACHを含む場合、プロセッサ703は、PRACHの優先度および番号iの第1のターゲットサブフレームのすべてのアップリンクチャネルの優先度を判断するようにさらに構成される。
【０１１４】
PRACHの優先度が、番号iの第1のターゲットサブフレームのすべてのアップリンクチャネルの優先度よりも高い場合、プロセッサ703は、PRACH事前定義送信電力および保証電力に従って予約電力を判断する。
【０１１５】
予約電力の値は、max｛保証電力，PRACH事前定義送信電力｝以上とすることができる。例えば、予約電力＝max｛保証電力，PRACH事前定義送信電力｝である。
【０１１６】
任意選択的に、PRACH事前定義送信電力は、
min｛PCMAX，c（j），PREAMBLE＿RECEIVED＿TARGET＿POWER＋PLc｝とすることができ、
ここで、PCMAX，c（j）は、番号xの第2のターゲットサブフレームのPRACHが位置するセルcの番号jのサブフレームの最大送信電力であり、プリアンブル受信ターゲット電力（PREAMBLE＿RECEIVED＿TARGET＿POWER）は、上位レイヤによって構成される電力パラメータであり、PLcは、UEの経路損失の測定値であり、経路損失は、セルcまたは別の基準セルの基準信号を測定することによってUEにより取得することができ、ここで、j＝x−1であり、番号jのサブフレームは、番号xのサブフレームの前のサブフレームであり、x−1は、0から9の範囲外であり、番号jのサブフレームの番号は、（x−1）mod10であり、ここで、modは、モジュロ演算子である。
【０１１７】
あるいは、PRACH事前定義送信電力は、
PREAMBLE＿RECEIVED＿TARGET＿POWER＋PLcとしてもよい。
【０１１８】
さらに、任意選択的に、番号xの第2のターゲットサブフレームのアップリンクチャネルの、SRSチャネルを除く、別のチャネルを示すために使用されるPDCCHが無く、番号xの第2のターゲットサブフレームが何らのアップリンクチャネルも有さないか、またはSRSチャネルのみを有し、かつ番号iの第1のターゲットサブフレームのアップリンクチャネルが少なくとも1つの非SRSチャネルを含む場合、プロセッサ703は、予約電力が0であると判断する。
【０１１９】
任意選択的に、メモリ701、トランシーバ702、およびプロセッサ703はまた、バスを使用することによって通信可能に接続することができ、バスは、装置の（メモリ701、トランシーバ702、およびプロセッサ703などの）部品の間で情報を送信するための経路を含むことができる。
【０１２０】
本発明において、番号xの第2のターゲットサブフレームが位置する基地局またはセルグループに対して予約される予約電力は、より適切なものとすることができ、したがって、番号iの第1のターゲットサブフレームの各アップリンクチャネルの決定送信電力もまた適切であり、それにより、UEが位置するセルの基地局におけるUEのアップリンクチャネルの受信性能が低いという問題を解決する。
【０１２１】
図8に示すように、図8は、ユーザ機器（UE）のハードウェア構造の概略図である。ユーザ機器（UE）はメモリ801、トランシーバ802、およびプロセッサ803を含むことができる。
【０１２２】
本装置におけるメモリ801、トランシーバ802、およびプロセッサ803の共通機能の要旨に対して、図7に示したUEに含まれるメモリ701、トランシーバ702、およびプロセッサ703についての記述を参照し、詳細は本明細書では、再び説明しない。
【０１２３】
図8に示すハードウェアは、メモリ801、トランシーバ802、およびプロセッサ803のみを示すが、特定の実施処理では、当業者は、端末が通常実行するために必要な他のコンポーネントをさらに含むことを理解すべきであることに留意されたい。さらに、特定の要件によれば、当業者は、他の機能を実施するハードウェアコンポーネントもまた含むことができることを理解すべきである。
【０１２４】
具体的には、図8に示すUEが、図5および図6に示す実施形態における装置を実現するために使用される場合、本装置におけるトランシーバ802は、基地局によって送信されるPDCCHまたはPDCCHおよびPDSCHを受信するように構成される。
【０１２５】
プロセッサ803は、メモリ801およびトランシーバ802に結合され、プログラム命令の実行を制御するように構成され、番号iの第1のターゲットサブフレームの少なくとも1つのアップリンクチャネルを判断するように構成され、ここで、iは、0から9のサブフレーム番号であり、プロセッサ803はさらに、番号iの第1のターゲットサブフレームのアップリンクチャネルが最高電力割当優先度を有する物理的ランダムアクセスチャネル（PRACH）を含む場合、番号iの第1のターゲットサブフレームのアップリンクチャネル情報に従って、番号xの第2のターゲットサブフレームが位置する基地局またはセルグループに対して予約される予約電力を判断するように構成され、ここで、番号xの第2のターゲットサブフレームの伝達時間と第1のターゲットサブフレームの伝達時間とがオーバーラップし、第2のターゲットサブフレームの開始時間が、第1のターゲットサブフレームの開始時間よりも遅く、第2のターゲットサブフレームが、第1のターゲットサブフレームのものとは異なる基地局またはセルグループに属するサブフレームであり、xは、0から9のサブフレーム番号であるか、またはxが0から9の範囲外である場合に、xがサブフレーム番号（x）mod10であり、modがモジュロ演算子であり、プロセッサ803はさらに、予約電力に従って、番号iの第1のターゲットサブフレームの少なくとも1つのアップリンクチャネルにおける各アップリンクチャネルの送信電力を判断するように構成され、ここで、番号iの第1のターゲットサブフレームのすべてのアップリンクチャネルの送信電力と予約電力との合計が、UEの最大送信電力以下である。
【０１２６】
さらに、任意選択的に、プロセッサ803は、番号iの第1のターゲットサブフレームの少なくとも1つのアップリンクチャネルにおけるすべてのアップリンクチャネルの送信電力と予約電力との合計が、UEの最大送信電力よりも大きい場合、番号iの第1のターゲットサブフレームの少なくとも1つのアップリンクチャネルの少なくとも1つの送信電力を圧縮するようにさらに構成される。
【０１２７】
さらに、プロセッサ803が、予約電力に従って、番号iの第1のターゲットサブフレームの少なくとも1つのアップリンクチャネルにおける各アップリンクチャネルの送信電力を判断すると、トランシーバ802が、送信電力に従って、番号iの第1のターゲットサブフレームの少なくとも1つのアップリンクチャネルで信号を送信するようにさらに構成される。
【０１２８】
さらに、プロセッサ803は、PRACH送信電力および保証電力に従って予約電力を判断するようにさらに構成され、PRACH送信電力は、番号iの第1のターゲットサブフレームのPRACHの送信電力であり、保証電力は、上位レイヤシグナリングを使用することによって、番号xの第2のターゲットサブフレームが位置する基地局またはセルグループに対して構成される保証電力であり、予約電力は、保証電力以下であり、UEの最大送信電力PCMAXとPRACH送信電力との差以下である。例えば、予約電力＝max｛保証電力，PCMAX−PRACH送信電力｝である。上位レイヤシグナリングは、RRCシグナリングとすることができる。
【０１２９】
任意選択的に、PRACH送信電力は、
min｛PCMAX，c（i），PREAMBLE＿RECEIVED＿TARGET＿POWER＋PLc｝とすることができ、
ここで、PCMAX，c（i）は、番号iの第1のターゲットサブフレームのPRACHが位置するセルcのサブフレームiの最大送信電力であり、PREAMBLE＿RECEIVED＿TARGET＿POWERは、上位レイヤによって構成される電力パラメータであり、PLcは、UEの経路損失の測定値であり、経路損失はセルcまたは別の基準セルの基準信号を測定することによってUEにより取得することができる。
【０１３０】
同じように、図8に示すユーザ機器（UE）において、メモリ801、トランシーバ802、およびプロセッサ803はまた、バスを使用することによって通信可能に接続することができる。
【０１３１】
本発明において、番号xの第2のターゲットサブフレームが位置する基地局またはセルグループに対して予約される予約電力は、より適切なものとすることができ、したがって、番号iの第1のターゲットサブフレームの各アップリンクチャネルの決定送信電力もまた適切であり、それにより、UEが位置するセルの基地局におけるUEのアップリンクチャネルの受信性能が低いという問題を解決する。
【０１３２】
図3から図8の記述を参照すると、本発明は、電力割当方法を提供する。図9に示すように、本方法は、具体的には、以下を含む。
【０１３３】
901．UEが、番号iの第1のターゲットサブフレームの少なくとも1つのアップリンクチャネルを判断し、ここで、iは、0から9のサブフレーム番号である。
【０１３４】
902．UEは、番号xの第2のターゲットサブフレームのアップリンクチャネル情報に従って、番号xの第2のターゲットサブフレームが位置する基地局またはセルグループに対して予約される予約電力を判断し、ここで、予約電力は、番号xの第2のターゲットサブフレームのアップリンクチャネルがPDCCH orderによって示されるPRACHを含む場合に判断され、番号xの第2のターゲットサブフレームの伝達時間と第1のターゲットサブフレームの伝達時間とはオーバーラップし、第2のターゲットサブフレームの開始時間は、第1のターゲットサブフレームの開始時間よりも遅く、第2のターゲットサブフレームは、第1のターゲットサブフレームのものとは異なる基地局またはセルグループに属するサブフレームであり、xは、0から9のサブフレーム番号であり、または予約電力は、番号xの第2のターゲットサブフレームのアップリンクチャネルが、番号x−nのサブフレームの物理的ダウンリンクチャネルを使用することによって判断されるPRACHを含む場合に判断され、または予約電力は、番号xの第2のターゲットサブフレームのアップリンクチャネルの、SRSチャネルを除く、別のチャネルを示すために使用されるPDCCHが無く、番号xの第2のターゲットサブフレームが、何らのアップリンクチャネルも有さないか、もしくはSRSチャネルのみを有する場合に判断される。
【０１３５】
903．UEは、予約電力に従って、番号iの第1のターゲットサブフレームの少なくとも1つのアップリンクチャネルにおける各アップリンクチャネルの送信電力を判断し、番号iの第1のターゲットサブフレームのすべてのアップリンクチャネルの送信電力と予約電力との合計は、UEの最大送信電力以下である。
【０１３６】
本発明のこの実施形態で提供される電力割当方法により、番号iの第1のターゲットサブフレームの少なくとも1つのアップリンクチャネルが判断され、番号xの第2のターゲットサブフレームのアップリンクチャネル情報に従って、番号xの第2のターゲットサブフレームが位置する基地局またはセルグループに対して予約された予約電力が判断され、予約電力は、番号xの第2のターゲットサブフレームのアップリンクチャネル情報がPRACHを含むか、またはSRSチャネルのみを含むか、または何らのチャネルも含まない場合に判断され、番号xの第2のターゲットサブフレームの伝達時間と番号iの第1のターゲットサブフレームの伝達時間とがオーバーラップし、第2のターゲットサブフレームの開始時間が、番号iの第1のターゲットサブフレームの開始時間よりも遅く、その場合、予約電力に従って、番号iの第1のターゲットサブフレームの各アップリンクチャネルの送信電力が判断され、それにより、アップリンクチャネルの送信電力を適切に割り当てる目的を達成する。
【０１３７】
さらに、ステップ901において、UEが、番号iの第1のターゲットサブフレームの少なくとも1つのアップリンクチャネルを判断するための2つの方式が存在する。
【０１３８】
方式1：PDCCHを使用することによって、UEがDCI（Downlink Control Information、ダウンリンク制御情報）を取得し、次いで、DCIに従って、番号iの第1のターゲットサブフレームの少なくとも1つのアップリンクチャネルを判断する。
【０１３９】
DCIは、番号iの第1のターゲットサブフレームでの、リソース割当情報および電力制御情報などを含む。
【０１４０】
方式2：上位レイヤシグナリング（RRCシグナリングなど）により、UEは、番号iの第1のターゲットサブフレームの少なくとも1つのアップリンクチャネルを判断する。
【０１４１】
さらに、ステップ902において、物理的ダウンリンクチャネル（PDCCHおよびPDSCH）を検出することによって、UEは、番号xの第2のターゲットサブフレームのアップリンクチャネル情報を判断することができる。
【０１４２】
第1に、PDCCH orderを検出することによって、UEは、番号xの第2のターゲットサブフレームのアップリンクチャネル情報がPRACHを含むと判断することができる。
【０１４３】
具体的には、（第3のターゲットサブフレームと仮定される）番号x−kのサブフレームにおいて、基地局は、PDCCH orderをUEに送信し、PDCCH orderは、PRACHを使用することによってランダムアクセスを開始するようUEをトリガし、次いで、UEは、PRACHを使用して、番号xの第2のターゲットサブフレームでランダムアクセスを開始する。UEが番号xの第2のターゲットサブフレームのアップリンクチャネル情報を判断する時間は、UEが番号iの第1のターゲットサブフレームの少なくとも1つのアップリンクチャネルを判断する時間よりも早いことを示し、ここで、kは、6以上の整数である。
【０１４４】
任意選択的に、kは6とする。
【０１４５】
図9（a）に示すj＋1は、上記のxであり、jは、それに対応して、x−1と等しく、j−4は、それに対応して、x−5と等しいことに事前に留意されたい。
【０１４６】
図9（a）に示すように、ダウンリンク伝達時間は、セル1およびセル2の間で同期せず（セル2のダウンリンク伝達時間は、セル1のダウンリンク伝達時間よりも早い）、したがって、アップリンク伝達時間は、セル1およびセル2の間で同期しない（セル2のアップリンク伝達時間は、セル1のアップリンク伝達時間よりも早い）ことが理解されよう。UEは、セル1のダウンリンク方向でサブフレームi−4の時点aでセル1のアップリンクサブフレームの少なくとも1つのアップリンクチャネルを学習し、セル2のダウンリンク方向でサブフレームj−4の時点bでアップリンク方向でサブフレームjの少なくとも1つのアップリンクチャネルを学習し、セル2のダウンリンク方向でサブフレームj−3（j＋1−4）の時点cでアップリンク方向でサブフレームj＋1の少なくとも1つのアップリンクチャネルを学習することができる。サブフレームjの少なくとも1つのアップリンクチャネルを学習するための時点bは、サブフレームiの少なくとも1つのアップリンクチャネルを学習するための時点よりも早いが、サブフレームj＋1の少なくとも1つのアップリンクチャネルを学習するための時点cは、サブフレームiの少なくとも1つのアップリンクチャネルを学習するための時点よりも遅いことが理解されよう。したがって、UEが、サブフレームiのすべてのアップリンクチャネルのアップリンクチャネル送信電力を決定するための処理時間は、c−d（（c−d）＜（a−d））に変化する。すなわち、アップリンクチャネルの適切な送信電力は、UEが、サブフレームiのすべてのアップリンクチャネルのアップリンクチャネル送信電力を決定するための処理時間を短くする場合にのみ割り当てることができる。本発明において、基地局は、ダウンリンク方向に、番号j＋1−k（すなわち、番号x−k）のサブフレームでUEにPRACHを含むPDCCH orderを送信する。すなわち、サブフレームj＋1−kの時点e（時点eは、時点bよりも早い）で、UEは、サブフレームj＋1−kのアップリンクチャネルがPRACHを含むかどうかを学習する。このようにして、UEがサブフレームiのすべてのアップリンクチャネルのアップリンクチャネル送信電力を決定するための処理時間は、a−d以上とすることができる。チャネルの中で、PRACHは、最高優先度を有するチャネルであり、したがって、本発明では、時点aの前に、アップリンク方向でサブフレームj＋1のアップリンクチャネル情報がPRACHを含むかどうかを判断することができる。アップリンク方向のサブフレームj＋1のアップリンクチャネル情報がPRACHを含む場合、UEは、サブフレームj＋1が位置する基地局またはセルグループに対する予約電力を予約する。
【０１４７】
上記のサブフレームiは、セル1のアップリンク方向のサブフレームであり、番号iの第1のターゲットサブフレームにおける任意のサブフレームとすることができ、サブフレームi−4は、セル1のダウンリンク方向のサブフレームであることに留意されたい。同じように、サブフレームj＋1は、セル2のアップリンク方向のサブフレームであり、番号xの第2のターゲットサブフレームにおける任意のサブフレームとすることができ、サブフレームj＋1−kは、セル1のダウンリンク方向のサブフレームである。説明を簡単にするために、以下では、サブフレームi−4およびサブフレームiは、セル1に対応するサブフレームであり、サブフレームj−4、サブフレームj−3、サブフレームj、およびサブフレームj＋1は、セル2に対応するサブフレームとする。
【０１４８】
第2に、番号x−nのサブフレームの物理的ダウンリンクチャネルを検出することによって、UEは、番号xの第2のターゲットサブフレームのアップリンクチャネルがPRACHを含むと判断することができ、ここで、nは、5以上の整数である。
【０１４９】
状況の1つとして、n＝5と仮定し、図9（a）に示すように、UEがサブフレームj＋1−5における物理的ダウンリンクチャネルによりRAR（Random Access Response、ランダムアクセス応答）を受信する場合、RARがUEによって送信されるpreamble sequence（プリアンブルシーケンス）に対応するresponse（応答）を搬送しない場合、UEは、サブフレームj＋1の前に再びpreamble sequenceを送信する必要がある。この時点で、サブフレームj＋1がPRACHを含む場合、UEは、サブフレームj＋1−nにおいて、サブフレームj＋1で送信されるPRACHが存在することをさらに学習することができ、その場合、サブフレームj＋1のアップリンクチャネル情報がPRACHを含むと判断することができる。セル1のアップリンク方向のサブフレームj＋1−5の時点eは、セル2のアップリンク方向のサブフレームi−4の時点aよりも早いことが理解されよう。すなわち、サブフレームj＋1のアップリンクチャネル情報がPRACHを含むかどうかをUEが学習する時点は、サブフレームiの少なくとも1つのアップリンクチャネルをUEが学習する時点よりも早い。したがって、サブフレームiのアップリンクチャネルの送信電力を考慮する場合、UEは、サブフレームj＋1のアップリンクチャネルの送信電力の予約を考慮して、サブフレームiが位置する基地局またはセルグループに適切な送信電力を割り当てることができる。さらに、サブフレームj＋1が位置する基地局またはセルグループに対して予約される予約電力もまた適切である。
【０１５０】
第3に、PDCCHを検出することによって、UEは、番号xの第2のターゲットサブフレームのアップリンクチャネル情報がSRSチャネルのみを含むか、または何らのチャネルも含まないと判断することができる。
【０１５１】
この方式は、UEの事前設定方式である。図9（a）に示すように、アップリンク方向のサブフレームj＋1のアップリンクチャネルを判断する前に、UEは、アップリンク方向のサブフレームj＋1のアップリンクチャネル情報がSRSチャネルのみを含む場合にアップリンクチャネル方向のサブフレームiのアップリンクチャネルに送信電力をUEがどのように割り当てるか、またはアップリンク方向のサブフレームj＋1のアップリンクチャネル情報が何らのチャネルも含まない場合にアップリンク方向のサブフレームiのアップリンクチャネルに送信電力をUEがどのように割り当てるか、またはアップリンク方向のサブフレームj＋1のアップリンク情報がSRSチャネルを除く別のチャネルを含み、アップリンク方向のサブフレームj＋1のアップリンクチャネルがSRSチャネルのみを含むか、もしくは何らのチャネルも含まない場合にアップリンク方向のサブフレームiのアップリンクチャネルに送信電力をUEがどのように割り当てるか、をUEが設定する。このように、アップリンク方向のサブフレームj＋1のアップリンクチャネル情報を学習する前に、UEは、事前に、事前設定されたサブフレームj＋1のアップリンクチャネルに従ってサブフレームj＋1のアップリンクチャネルに対する予約電力を判断し、アップリンクチャネルの、サブフレームiに割り当てられるべき、送信電力を決定することができる。サブフレームj＋1のアップリンクチャネルが、サブフレームj＋1の、事前設定された方式で取得された、アップリンクチャネル情報に含まれる、とUEが判断した場合、UEは、この時点で、異なる事前設定された場合におけるアップリンクチャネルの、サブフレームiに割り当てられるべき、送信電力を決定している。したがって、アップリンクチャネルの、サブフレームiに割り当てられるべき、決定された送信電力を取得すればよい。このようにして、アップリンクチャネルの送信電力は、UEが、サブフレームiのすべてのアップリンクチャネルの送信電力を決定する処理時間を減らすことなく適切に割り当てることができる。
【０１５２】
さらに、任意選択的に、ステップ902では、番号xの第2のターゲットサブフレームのアップリンクチャネルがPRACHを含む場合、PRACH事前定義送信電力および保証電力に従って予約電力が判断され、ここで、PRACH事前定義送信電力は、PRACHに対して事前定義された送信電力であり、保証電力は、RRCシグナリングを使用することによって、番号xの第2のターゲットサブフレームが位置する基地局またはセルグループに対して、構成される保証電力である。
【０１５３】
さらに、任意選択的に、ステップ902では、番号xの第2のターゲットサブフレームのアップリンクチャネルがPRACHを含む場合、UEは、PRACHの優先度と、番号iの第1のターゲットサブフレームのすべてのアップリンクチャネルの優先度とを判断する必要がさらにあり、PRACHの優先度が番号iの第1のターゲットサブフレームのすべてのアップリンクチャネルの優先度よりも高い場合、PRACH事前定義送信電力および保証電力に従って予約電力を判断する。
【０１５４】
任意選択的に、予約電力は、保証電力以上であり、PRACH事前定義送信電力以上とすることができる。例えば、予約電力＝max｛保証電力，PRACH事前定義送信電力｝である。
【０１５５】
任意選択的に、PRACH事前定義送信電力は、
min｛PCMAX，c（j），PREAMBLE＿RECEIVED＿TARGET＿POWER＋PLc｝とすることができ、
ここで、PCMAX，c（j）は、番号xの第2のターゲットサブフレームのPRACHが位置するセルcの番号jのサブフレームの最大送信電力であり、プリアンブル受信ターゲット電力（PREAMBLE＿RECEIVED＿TARGET＿POWER）は、上位レイヤによって構成される電力パラメータであり、PLcは、UEの経路損失の測定値であり、経路損失は、セルcまたは別の基準セルの基準信号を測定することによってUEにより取得することができ、ここで、j＝x−1であり、番号jのサブフレームは、番号xのサブフレームの前のサブフレームであり、x−1は、0から9の範囲外であり、番号jのサブフレームの番号は、（x−1）mod10であり、ここで、modは、モジュロ演算子である。
【０１５６】
あるいは、PRACH事前定義送信電力は、
PREAMBLE＿RECEIVED＿TARGET＿POWER＋PLcとしてもよい。
【０１５７】
さらに、任意選択的に、ステップ902では、番号xの第2のターゲットサブフレームのアップリンクチャネルの、SRSチャネルを除く、別のチャネルを示すために使用されるPDCCHが無く、番号xの第2のターゲットサブフレームが何らのアップリンクチャネルも有さないか、またはSRSチャネルのみを有し、かつ番号iの第1のターゲットサブフレームのアップリンクチャネルが少なくとも1つの非SRSチャネルを含む場合、予約電力が0であると判断される。
【０１５８】
番号xの第2のターゲットサブフレームが位置する基地局またはセルグループに対して本明細書でUEによって予約される予約電力0は、UEが、番号xの第2のターゲットサブフレームが位置する基地局またはセルグループに対して何らの電力も予約しないことを示すことができることに留意されたい。すなわち、番号iの第1のターゲットサブフレームが位置する基地局またはセルグループのアップリンクチャネルの送信電力がUEの最大送信電力よりも低い場合、UEが番号xの第2のターゲットサブフレームでSRSチャネルによりデータを送信する必要がある場合、番号xの第2のターゲットサブフレームが位置する基地局またはセルグループのアップリンクチャネルの実際の送信電力は、番号iの第1のターゲットサブフレームが位置する基地局またはセルグループのアップリンクチャネルの送信電力をUEの最大送信電力から引いたものであり、番号iの第1のターゲットサブフレームが位置する基地局またはセルグループのアップリンクチャネルの送信電力がUEの最大送信電力と等しい場合、UEは、番号xの第2のターゲットサブフレームでのSRSチャネルによる送信を断念する。
【０１５９】
さらに、任意選択的に、ステップ903は、番号iの第1のターゲットサブフレームの少なくとも1つのアップリンクチャネルにおけるすべてのアップリンクチャネルの送信電力と予約電力との合計が、UEの最大送信電力よりも大きい場合、UEによって、番号iの第1のターゲットサブフレームの少なくとも1つのアップリンクチャネルの少なくとも1つの送信電力を圧縮するステップであって、その結果、番号iの第1のターゲットサブフレームの少なくとも1つのアップリンクチャネルにおけるすべてのアップリンクチャネルの送信電力と予約電力との合計が、UEの最大送信電力以下となる、ステップをさらに含む。
【０１６０】
さらに、任意選択的に、ステップ903の後、UEは、送信電力に従って、番号iの第1のターゲットサブフレームの少なくとも1つのアップリンクチャネルで信号を送信する。
【０１６１】
本発明のこの実施形態で提供される電力割当方法により、UEが番号iの第1のターゲットサブフレームのアップリンクチャネルの送信電力を判断する前に、UEが、番号xの第2のターゲットサブフレームのアップリンクチャネル情報がPRACHを含むか、またはSRSチャネルのみを含むか、または何らのチャネルも含まないか、などの番号xの第2のターゲットサブフレームのアップリンクチャネルの特別なケースが存在すると判断した場合、番号xの第2のターゲットサブフレームが位置する基地局またはセルグループに対して予約される予約電力がより適切であり、番号iの第1のターゲットサブフレームの各アップリンクチャネルの決定された送信電力がまた適切であり、それにより、UEが位置するセルの基地局におけるUEのアップリンクチャネルの受信性能が低いという問題を解決する。
【０１６２】
図3から図8の記述を参照すると、本発明は、別の電力割当方法を提供する。図10に示すように、本方法は、具体的には、以下を含む。
【０１６３】
1001．UEが、番号iの第1のターゲットサブフレームの少なくとも1つのアップリンクチャネルを判断し、ここで、iは、0から9のサブフレーム番号である。
【０１６４】
1002．番号iの第1のターゲットサブフレームのアップリンクチャネル情報が最高電力割当優先度を有するPRACHを含む場合、UEは番号iの第1のターゲットサブフレームのアップリンクチャネル情報に従って、番号xの第2のターゲットサブフレームが位置する基地局またはセルグループに対して予約される予約電力を判断し、ここで、番号xの第2のターゲットサブフレームの伝達時間と第1のターゲットサブフレームの伝達時間とがオーバーラップし、第2のターゲットサブフレームの開始時間が第1のターゲットサブフレームの開始時間よりも遅く、第2のターゲットサブフレームが、第1のターゲットサブフレームのものとは異なる基地局またはセルグループに属するサブフレームであり、xは、番号0から9のサブフレームであり、またはxが範囲0から9の外にある場合、xは、サブフレーム番号（x）mod10であり、modは、モジュロ演算子である。
【０１６５】
1003．UEは、予約電力に従って、番号iの第1のターゲットサブフレームの少なくとも1つのアップリンクチャネルにおける各アップリンクチャネルの送信電力を判断し、番号iの第1のターゲットサブフレームのすべてのアップリンクチャネルの送信電力と予約電力との合計は、UEの最大送信電力以下である。
【０１６６】
本発明の実施形態で提供される電力割当方法は、アップリンクチャネルの送信電力を適切に割り当てる目的を達成することができる。
【０１６７】
さらに、ステップ1001では、UEが、番号iの第1のターゲットサブフレームの少なくとも1つのアップリンクチャネルを判断する方法は、図9で示されたUEが番号iの第1のターゲットサブフレームの少なくとも1つのアップリンクチャネルを判断した方法と同じであり、図9で示した関連説明を参照することができ、本明細書では、再び説明しない。
【０１６８】
さらに、ステップ1002では、PRACH送信電力および保証電力に従って、UEは、番号xの第2のターゲットサブフレームが位置する基地局またはセルグループに対して予約される予約電力を判断する。PRACH送信電力は、番号iの第1のターゲットサブフレームのPRACHの送信電力であり、保証電力は、RRCシグナリングを使用することによって、番号xの第2のターゲットサブフレームが位置する基地局またはセルグループに対して構成される保証電力であり、予約電力は、保証電力以下であり、UEの最大送信電力PCMAXとPRACH送信電力との差以下である。例えば、予約電力＝max｛保証電力，PCMAX−PRACH送信電力｝である。PCMAXは、UEの最大送信電力であり、ここで、最大送信電力は、異なる時間で異なる値を有することができる。例えば、異なるサブフレームオーバラップ時間において、異なる時間での各セルのアップリンクチャネルは異なる可能性があり、最大電力バックオフは異なる。したがって、予約電力を判断する時に使用されるPCMAXは、番号xの第2のターゲットサブフレームのアップリンクチャネルを送信する時のUEの最大送信電力ではないが、その時間の前に判断されたUEの最大送信電力である。判断された予約電力は、番号xの第2のターゲットサブフレームの実際の送信電力ではない。実際の送信電力は、番号xの第2のターゲットサブフレームのPCMAXに従って調整される必要がある。番号iの第1のターゲットサブフレームのアップリンクチャネルの送信電力が判断され、1つのサブフレーム内で変化しない。したがって、番号iのサブフレームと番号xのサブフレームとの間のオーバーラップ領域においてPCMAXが減少する場合、番号xのサブフレームのアップリンクチャネルの送信電力のみを調整することができる。
【０１６９】
任意選択的に、PRACH送信電力は、
min｛PCMAX，c（i），PREAMBLE＿RECEIVED＿TARGET＿POWER＋PLc｝とすることができ、
ここで、PCMAX，c（i）は、番号iの第1のターゲットサブフレームのPRACHが位置するセルcのサブフレームiの最大送信電力であり、PREAMBLE＿RECEIVED＿TARGET＿POWERは、上位レイヤによって構成される電力パラメータであり、PLcは、UEの経路損失の測定値であり、経路損失はセルcまたは別の基準セルの基準信号を測定することによってUEにより取得することができる。
【０１７０】
さらに、任意選択的に、ステップ1003は、番号iの第1のターゲットサブフレームの少なくとも1つのアップリンクチャネルにおけるすべてのアップリンクチャネルの送信電力と予約電力との合計が、UEの最大送信電力よりも大きい場合、UEによって、番号iの第1のターゲットサブフレームの少なくとも1つのアップリンクチャネルの少なくとも1つの送信電力を圧縮するステップであって、その結果、番号iの第1のターゲットサブフレームの少なくとも1つのアップリンクチャネルにおけるすべてのアップリンクチャネルの送信電力と予約電力との合計が、UEの最大送信電力以下となる、ステップをさらに含む。
【０１７１】
さらに、ステップ1003の後、UEは、送信電力に従って、番号iの第1のターゲットサブフレームの少なくとも1つのアップリンクチャネルで信号を送信する。
【０１７２】
予約電力は、番号xの第2のターゲットサブフレームが位置する基地局またはセルグループに対して予約され、図9で説明する方法とは異なり、番号iの第1のターゲットサブフレームのアップリンクチャネル情報を参照することによってUEにより判断されることに留意されたい。これは、番号iの第1のターゲットサブフレームのアップリンクチャネルが最高電力割当優先度を有するPRACHを含むことをUEが検出すると、UEは、番号iの第1のターゲットサブフレームのPRACHのアップリンクチャネルの送信電力を優先的に考慮する必要があることを示すためである。予約電力は、保証電力以下であり、UEの最大送信電力とPRACH送信電力との差以下である。このようにして、アップリンクチャネルの送信電力を適切に割り当てる目的が達成され、UEが位置するセルの基地局におけるUEのアップリンクチャネルの受信性能が低いという問題が解決される。
【０１７３】
本発明のこの実施形態で提供される電力割当方法によれば、UEは、アップリンクチャネル情報を使用して、番号xのサブフレームのアップリンクチャネルの特別なケースで予約電力を改善し、それにより、基地局の受信性能を改善する。
【０１７４】
簡潔で簡便な説明のために、上記の機能モジュールの分割は、図示のための一例として使用されることが当業者によって明確に理解されよう。実際の用途において、上記機能は、要求に従って異なる機能モジュールに割り当てられ、実現することができ、すなわち、装置の内部構造は、上記の機能のすべてまたはいくつかを実現するために、異なる機能モジュールに分割される。上記システム、装置、およびユニットの詳細な動作処理に対して、上記方法実施形態における対応する処理を参照することができ、詳細は、本明細書では、再び説明しない。
【０１７５】
本発明において提供された、いくつかの実施形態において、開示したシステム、装置、および方法は、他の方法で実現してもよいことを理解すべきである。例えば、説明した装置実施形態は、単なる例示である。例えば、モジュールまたはユニット区分は、単なる論理機能区分であり、実際の実装において、他の区分としてもよい。例えば、複数のユニットまたは構成要素を、別のシステムに結合または統合してもよく、またはいくつかの機能を無視するか、または実行しなくてもよい。さらに、表示または説明した相互結合または直接結合または通信接続は、何らかのインターフェースを介して実現してもよい。装置またはユニット間の間接結合または通信接続は、電気的、機械的、または他の形式で実現することができる。
【０１７６】
別々の部品として説明したユニットは、物理的に別々のものとしてもよいし、しなくてもよく、ユニットとして説明した部品は、物理的ユニットとしてもよいし、しなくてもよく、一箇所に配置してもよいし、複数のネットワークユニット上に分散させてもよい。いくつかの、またはすべてのユニットは、本実施形態の解決策の目的を達成するために、実際の必要性に従って選択することができる。
【０１７７】
さらに、本発明の実施形態における機能ユニットは、1つの処理ユニットに統合してもよく、またはユニットのそれぞれは、物理的に独立して存在してもよく、または2つ以上のユニットが1つのユニットに統合される。統合されたユニットは、ハードウェアの形態で実装してもよく、またはソフトウェア機能ユニットの形態で実装してもよい。
【０１７８】
統合されたユニットが、ソフトウェア機能ユニットの形式で実装され、および独立の製品として販売もしくは使用される場合、統合されたユニットは、コンピュータ読込み可能ストレージ媒体に格納してもよい。そのような理解に基づいて、本発明の本質的な技術的解決策、または先行技術に起因する部分、または技術的解決策のすべてもしくは一部は、ソフトウェア製品の形態で実現してもよい。ソフトウェア製品は、ストレージ媒体に格納され、コンピュータデバイス（パーソナルコンピュータ、サーバ、またはネットワークデバイスとしてもよい）またはプロセッサ（processor）に指示して、本発明の実施形態で説明した方法のステップのすべてまたは一部を実行するいくつかの命令を含む。上記のストレージ媒体は、プログラムコードを格納することができる何らかの媒体を含み、そのような媒体には、USBフラッシュドライブ、リムーバブルハードディスク、リードオンリメモリ（ROM、Read-Only Memory）、ランダム・アクセス・メモリ（RAM、Random Access Memory）、磁気ディスク、または光学ディスクなどがある。
【０１７９】
上記の説明は、本発明の単なる特定の実装方式であり、本発明の保護範囲を限定する意図はない。本発明で開示される技術的範囲内で当業者によって容易に理解される任意の変更例または代替例は、本発明の保護範囲内である。したがって、本発明の保護範囲は、特許請求の範囲の保護範囲に従う。
【符号の説明】
【０１８０】
30，40，50，60  ユーザ機器（UE）
201  能動型アンテナ
202  UE
203  第1の基地局
204  第2の基地局
205  電力供給デバイス
206  無線周波数ケーブルフィーダ
301  判断モジュール
302  計算モジュール
303  受信モジュール
304  検出モジュール
305  判定モジュール
306  送信モジュール
501  判断モジュール
502  計算モジュール
503  送信モジュール
701  メモリ
702  トランシーバ
703  プロセッサ
801  メモリ
802  トランシーバ
803  プロセッサ
【図１】
0006300054.tif 000002
【図２】
0006300054.tif 000003
【図３】
0006300054.tif 000004
【図４】
0006300054.tif 000005
【図５】
0006300054.tif 000006
【図６】
0006300054.tif 000007
【図７】
0006300054.tif 000008
【図８】
0006300054.tif 000009
【図９】
0006300054.tif 000010
【図９（ａ）】
0006300054.tif 000011
【図１０】
0006300054.tif 000012